(57)【要約】      （修正有）【課題】鼻の内部に照射する医療用レーザー装置を提供する。【解決手段】医療用レーザー装置１は：本体１０１０と、鼻の内部にレーザーを照射するように本体に備えられるレーザー照射部と、鼻の内部に挿入される上側と下側が開放された挿入管１３１０と、挿入管の下部に備えられる下部板１３２０と、下部板の端に下部板の下部方向に延長形成されて本体の上部に分離可能に装着され、挿入管と連通する案内孔または案内溝部が形成される測板１３３０で構成される挿入部１０３０を含み、レーザー照射部が照射するレーザーは挿入管内部を通過して鼻の内部に照射され、呼吸に必要な本体の外部空気は案内孔または案内溝部を通って挿入管内部を通過して供給され、本体の上部面の縁に本体の上部方向に突出する突出段が形成され、突出段の上部面に挿入部の測板の下部面が装着され、突出段の内側に挿入部の挿入管内に流入した鼻の内部で発生した鼻水が収容される。【選択図】図１
2018183432.tif 000002
【特許請求の範囲】
【請求項１】
本体；
使用者の鼻の内部にレーザーを照射するように前記本体に備えられるレーザー照射部；および
使用者の鼻の内部に挿入される上側と下側が開放された挿入管と、前記挿入管の下部に備えられる下部板と、前記下部板の縁に前記下部板の下部方向に延長形成されて前記本体の上部に分離可能に装着され、前記挿入管と連通する案内孔または案内溝部が形成される測板で構成される挿入部；を含み、
前記レーザー照射部が照射するレーザーは前記挿入管内部を通過して使用者の鼻の内部に照射され、
使用者の呼吸に必要な前記本体の外部空気は前記案内孔または前記案内溝部を通り前記挿入管内部を通過して使用者に供給され、
前記本体の上部面の縁に前記本体の上部方向に突出する突出段が形成され、
前記突出段の上部面に前記挿入部の測板の下部面が装着され、
前記突出段の内側に前記挿入部の挿入管内に流入した使用者の鼻の内部で発生した鼻水が収容されることを特徴とする、医療用レーザー装置。
【請求項２】
前記本体の前面と後面にそれぞれ係止部が形成され、
前記挿入部の測板の前面と後面にそれぞれ前記係止部内に収容された状態で係合される係合部が形成されることを特徴とする、請求項１に記載の医療用レーザー装置。
【請求項３】
使用者の耳部位に係合されて使用者の鼻の内部に挿入された前記挿入部の挿入管を位置固定させる固定部が備えられることを特徴とする、請求項１に記載の医療用レーザー装置。
【請求項４】
前記固定部は前記レーザー照射部と連結される上側が使用者の耳部位に係合され、下側が使用者の顎の下部面の下側方向に位置する電源ケーブルからなることを特徴とする、請求項３に記載の医療用レーザー装置。
【請求項５】
前記電源ケーブルは使用者の耳部位を囲んだ状態で係合される上側が前記本体の一側を貫通して前記本体内部に入った状態で前記レーザー照射部に連結される一側電源ケーブル；および
使用者の貴部位を囲んだ状態で係合される上側が前記本体の他側を貫通して前記本体内部に入った状態で前記レーザー照射部に連結される他側電源ケーブル；を含み、
前記一側電源ケーブルの下側と前記他側電源ケーブルの下側を使用者の顎の下部面に密着固定または使用者の顎の下部面の下側方向に位置固定させる固定部材が備えられることを特徴とする、請求項４に記載の医療用レーザー装置。
【請求項６】
本体；
前記本体の上部に水平に備えられる放熱板部材と、前記放熱板部材の両側にそれぞれ垂直に形成されて前記本体の両側外部に露出する一側および他側放熱翼部で構成される放熱部；
前記放熱部の放熱板部材の上部両側にそれぞれ備えられて使用者の鼻の内部にレーザーを照射するレーザーダイオード部；
前記レーザーダイオード部と前記放熱部の放熱板部材を内部に収容した状態で前記本体の上部に固定され、使用者の鼻の内部に挿入されるヘッド部；および
前記本体と前記放熱部の両側に連結された状態で使用者の後頭または耳部位に固定されて使用者の鼻の内部に挿入された前記ヘッド部を位置固定する固定部；を含むことを特徴とする、医療用レーザー装置。
【請求項７】
前記放熱部の一側放熱翼部は前記本体の上部に水平に備えられる前記放熱板部材の一側に、前後方向に一定間隔で垂直に形成される２つ以上の一側放熱翼板からなり、
前記放熱部の他側放熱翼部は前記本体の上部に水平に備えられる前記放熱板部材の他側に、前後方向に一定間隔で垂直に形成される２つ以上の他側放熱翼板からなることを特徴とする、請求項６に記載の医療用レーザー装置。
【請求項８】
前記本体の前面の両側には前記本体の前方方向に突出して使用者の鼻溝と接する支持板がそれぞれ垂直に形成され、
前記支持板の前側面は上部から下部方向に行くほど前記本体の前方方向に下向き傾斜し、前記支持板の下側面は前記本体の前方方向から前記本体の前面の下部方向に行くほど下向き傾斜することを特徴とする、請求項６に記載の医療用レーザー装置。
【請求項９】
前記ヘッド部は前記放熱部の放熱板部材を内部に収容した状態で前記本体の上部に水平に固定される固定板；および
前記固定板の両側上部にそれぞれ垂直に形成され、内部に前記レーザーダイオード部が収容され、上部面に透明材質のカバーが備えられ、使用者の鼻の内部に挿入される鼻挿入部；を含み、
前記鼻挿入部の外周縁には前記鼻挿入部の内側に一定の深さで陥没する溝が等間隔で形成されることを特徴とする、請求項６に記載の医療用レーザー装置。
【請求項１０】
前記ヘッド部の固定板上部面の中心部には使用者の鼻の下部中心部を収容する収容溝部が一定の深さで形成されることを特徴とする、請求項９に記載の医療用レーザー装置。
【請求項１１】
前記本体内部の両側上部にそれぞれ上部方向に突出する上部係止突起が形成され、
前記放熱部の放熱板部材の底面の両側にそれぞれ下部方向に突出する下部係止突起が形成され、
前記固定部は使用者の後頭を囲んだ状態で位置固定される軟性材質のケーブル；および
前記ケーブルの両端部にそれぞれ備えられ、外周縁に前記上部係止突起と下部係止突起が係合される環状の係止溝が一定深さでそれぞれ陥没形成される一側および他側固定部材；を含むことを特徴とする、請求項６に記載の医療用レーザー装置。
【請求項１２】
前記本体内部の両側上部にそれぞれ上部方向に突出する上部係止突起が形成され、
前記放熱部の放熱板部材の底面の両側にそれぞれ下部方向に突出する下部係止突起が形成され、
前記固定部は他端部が使用者の両側の耳上部の部位に係合される軟性材質の一側および他側ケーブル；および
前記一側および他側ケーブルの一端部にそれぞれ備えられ、外周縁に前記上部係止突起と下部係止突起が係合される環状の係止溝が一定深さでそれぞれ陥没形成される一側および他側固定部材；を含んからなることを特徴とする、請求項６に記載の医療用レーザー装置。
【請求項１３】
波長帯域が６３０ｎｍ〜７００ｎｍであるレーザーダイオード、７００ｎｍ〜８１０ｎｍであるレーザーダイオードおよび８１０ｎｍ〜１３００ｎｍであるレーザーダイオードからなるレーザーダイオード部のうち選択された２つ以上のレーザーダイオードが前記ヘッド部の内部に収容されることを特徴とする、請求項６に記載の医療用レーザー装置。
【請求項１４】
前記レーザーダイオード部を制御する操作部が備えられ、
前記操作部は前記レーザーダイオード部に電源を供給するバッテリー；
前記バッテリーから前記レーザーダイオード部に電源を供給および遮断するスイッチ部；
前記バッテリーから前記レーザーダイオード部への電源供給の有無および前記レーザーダイオード部の作動の有無に関する情報を出力するディスプレイ部；
前記レーザーダイオード部の作動時間に関する情報を設定するタイマー部；
前記バッテリーの電源量を検出してデジタル信号に変換出力するＡ／Ｄコンバータ；
警報音を出力するスピーカー部；
光を発光する発光部材；および
前記スイッチ部とタイマー部の出力信号および前記Ａ／Ｄコンバータの検出値により前記レーザーダイオード部、ディスプレイ部、スピーカー部および発光部材を制御するマイクロプロセッサ；を含むことを特徴とする、請求項６に記載の医療用レーザー装置。
【請求項１５】
上面にレーザーダイオードが設置されるステムと、一側が前記ステムを貫通するように設置されて別途設けられた印刷回路基板と前記レーザーダイオードを連結するリードと、前記レーザーダイオードを覆うように前記ステムの上面に設置される透明なウインドウがあるキャップに含まれるパッケージが備えられるＴＯ−ＣＡＮタイプであり、
前記レーザーダイオードは波長帯域が異なることを特徴とする、レーザー照射装置。
【請求項１６】
陰極リードおよびレーザーダイオードと連結される陽極リードが形成された印刷回路基板と、前記陰極リードと前記レーザーダイオードを連結する陰極パッドと、前記印刷回路基板と前記レーザーダイオードと前記陰極パッドを覆うように設置される透明なエポキシを含むパッケージが備えられる表面実装タイプであり、
前記レーザーダイオードは波長帯域が異なることを特徴とする、レーザー照射装置。
【請求項１７】
前記レーザーダイオードは離隔距離が５０μｍ〜１００００μｍとなるように配列されることを特徴とする、請求項１５または請求項１６に記載のレーザー照射装置。
【請求項１８】
一つの前記パッケージには波長帯域が６３０〜７００ｎｍであるレーザーダイオード、波長帯域が７００〜８１０ｎｍであるレーザーダイオードおよび波長帯域が８１０〜１３００ｎｍであるレーザーダイオードの中から選択された少なくとも二つの波長帯域のレーザーダイオードが設置されることを特徴とする、請求項１５または請求項１６に記載のレーザー照射装置。
【請求項１９】
前記レーザーダイオードは垂直共振表面発光レーザーであることを特徴とする、請求項１５または請求項１６に記載のレーザー照射装置。
【請求項２０】
前記パッケージの中には静電気防止用ツェナーダイオードが設置されることを特徴とする、請求項１５または請求項１６に記載のレーザー照射装置。
【請求項２１】
前記パッケージの中には同一波長帯域のレーザーダイオードが隣接しないように前記レーザーダイオードが設置されることを特徴とする、請求項１５または請求項１６に記載のレーザー照射装置。
【請求項２２】
請求項１５または請求項１６に記載のレーザー照射装置と、取っ手と、ブラシが植えられたヘッド部からなる櫛形態の本体と、前記レーザー照射装置に電源を供給する電源供給装置を含み、
前記レーザー照射装置は前記ブラシの端部方向にレーザーが照射されるように前記本体内部に設置されることを特徴とする、医療用レーザー装置。
【発明の詳細な説明】
【技術分野】
【０００１】
本発明は医療用レーザー装置およびレーザー照射装置に関するもので、より詳しくは、使用者の鼻の内部に挿入される挿入部の挿入管内に使用者の鼻の内部で発生する鼻水などを含む異物を収容できるため、使用者の鼻の内部で発生した鼻水などを含む異物が本体の外周面に沿って流れ落ちる恐れがないことはもちろん、これによって本体の美観が低下する恐れがなく、さらに挿入部の測板に形成されて挿入部の挿入管の内部と連通する案内孔または案内溝を通じて挿入部の挿入管が鼻の内部に挿入された使用者が、より円滑に呼吸できるだけでなく、使用者が挿入部を本体の上部により簡便に装着固定および分離させることができるため、使用者が挿入管内に流入した鼻水などを含む異物の洗滌除去をより容易に行うことができる医療用レーザー装置に関するものである。
【０００２】
また、本発明は鼻炎などを含む鼻疾患をより容易に治療することができ、特に鼻炎などを含む鼻疾患を治療する過程中に使用者が円滑に呼吸できることはもちろん、着用感を大きく向上でき、さらにレーザーダイオード部に発生する高熱によってレーザーダイオード部に故障などの安全事故が発生する恐れをより容易に防止できることはもちろん、これによってレーザーダイオード部の長期使用ができ、合わせて使用者の吸気、呼気によって放熱部とレーザーダイオード部の温度をより容易に下げることができるだけでなく、使用者が手で本体を常時把持する必要がないことはもちろん、使用者が他の仕事をしながら鼻炎などを含む鼻疾患を治療できる医療用レーザー装置に関するものである。
【０００３】
また、本発明は一つのパッケージの中に互いに異なる波長を有するレーザーダイオードが複数個配列されて複数個の波長のレーザーが出力されるようにしたレーザー照射装置に関するものである。
【背景技術】
【０００４】
一般に、既存に使われていたレーザー医療装備はほとんど高出力でなされていたが、最近のレーザー治療器は低出力レーザー治療（Ｌｏｗ  Ｌｅｖｅｌ  Ｌａｓｅｒ  Ｔｈｅｒａｐｙ、ＬＬＬＴ）という治療技術を利用して、世界的に活発な研究と臨床実験が進行中であり、これを利用した治療法と医療装備が開発および商用化されて大衆化されている。その中でも半導体を利用した低出力レーザー治療が活発になされており、このような低出力レーザーは組織血流の微細循環構造に影響を与え、皮膚血流にも影響を及ぼすものと知られている。しかし、半導体を利用した低出力レーザー治療は単一波長で構成されるため、治療部位に複数個の波長を同時に照射できない限界がある。また、レーザー治療器を鼻炎などを含む鼻疾患を治療する過程中に使うと使用者が呼吸することが不便となり、長時間使う場合、レーザー照射部に発生する高熱によって安全事故が発生する確率が高い。したがって、これに対する改善が要望される。
【０００５】
本発明に対する背景技術は大韓民国公開特許公報第２０１５−０００２３５７号（発明の名称：低出力レーザー治療器、公開日：２０１５．０１．０７．）に開示されている。
【発明の概要】
【発明が解決しようとする課題】
【０００６】
本発明は前記のような必要性に鑑みて創出されたもので、使用者の鼻の内部に挿入される挿入部の挿入管内に使用者の鼻の内部で発生する鼻水などを含む異物を収容できるため、使用者の鼻の内部で発生した鼻水などを含む異物が本体の外周面に沿って流れ落ちる恐れがないことはもちろん、これによって本体の美観が低下する恐れがなく、さらに挿入部の測板に形成されて挿入部の挿入管の内部と連通する案内孔または案内溝部を通じて挿入部の挿入管が鼻の内部に挿入された使用者が、より円滑に呼吸できるだけでなく、使用者が挿入部を本体の上部により簡便に装着固定および分離させることができるため、使用者が挿入管内に流入した鼻水などを含む異物の洗滌除去をより容易に行うことができる医療用レーザー装置を提供することをその目的とする。
【０００７】
また、本発明は鼻炎などを含む鼻疾患をより容易に治療することができ、特に鼻炎などを含む鼻疾患を治療する過程中に使用者が円滑に呼吸できることはもちろん、着用感を大きく向上でき、さらにレーザーダイオード部に発生する高熱によってレーザーダイオード部に故障などの安全事故が発生する恐れをより容易に防止できることはもちろん、これによってレーザーダイオード部の長期使用ができ、合わせて使用者の吸気、呼気によって放熱部とレーザーダイオード部の温度をより容易に下げることができるだけでなく、使用者が手で本体を常時把持する必要がないことはもちろん、使用者が他の仕事をしながら鼻炎などを含む鼻疾患を治療できる医療用レーザー装置を提供することをその目的とする。
【０００８】
また、本発明は同時に多波長レーザーを照射できるレーザー照射装置を提供することをその目的とする。
【課題を解決するための手段】
【０００９】
本発明の第１側面に係る医療用レーザー装置は：本体；使用者の鼻の内部にレーザーを照射するように前記本体に備えられるレーザー照射部；および使用者の鼻の内部に挿入される上側と下側が開放された挿入管と、前記挿入管の下部に備えられる下部板と、前記下部板の縁に前記下部板の下部方向に延長形成されて前記本体の上部に分離可能に装着され、前記挿入管と連通する案内孔または案内溝が形成される測板で構成される挿入部；を含み、前記レーザー照射部が照射するレーザーは前記挿入管内部を通過して使用者の鼻の内部に照射され、使用者の呼吸に必要な前記本体の外部空気は前記案内孔または前記案内溝部を通って前記挿入管内部を通過して使用者に供給され、前記本体の上部面の縁に前記本体の上部方向に突出する突出段が形成され、前記突出段の上部面に前記挿入部の測板の下部面が装着され、前記突出段の内側に前記挿入部の挿入管内に流入した使用者の鼻の内部で発生した鼻水が収容されることを特徴とする。
【００１０】
また、前記本体の前面と後面にそれぞれ係止部が形成され、前記挿入部の測板の前面と後面にそれぞれ前記係止部内に収容された状態で係合される係合部が形成されることを特徴とする。
【００１１】
また、使用者の耳部位に係合されて使用者の鼻の内部に挿入された前記挿入部の挿入管を位置固定させる固定部が備えられることを特徴とする。
【００１２】
また、固定部は前記レーザー照射部と連結される上側が使用者の耳部位に係合され、下側が使用者の顎の下部面の下側方向に位置する電源ケーブルからなることを特徴とする。
【００１３】
また、前記電源ケーブルは使用者の耳部位を囲んだ状態で係合される上側が前記本体の一側を貫通して前記本体内部に入った状態で前記レーザー照射部に連結される一側電源ケーブル；および使用者の貴部位を囲んだ状態で係合される上側が前記本体の他側を貫通して前記本体内部に入った状態で前記レーザー照射部に連結される他側電源ケーブル；を含み、前記一側電源ケーブルの下側と前記他側電源ケーブルの下側を使用者の顎の下部面に密着固定または使用者の顎の下部面の下側方向に位置固定させる固定部材が備えられることを特徴とする。
【００１４】
本発明の第２側面に係る医療用レーザー装置は：本体；前記本体の上部に水平具備される放熱板部材；前記放熱板部材の両側にそれぞれ垂直形成されて前記本体の両側外部に露出する一側および他側放熱翼部で構成される放熱部と；前記放熱部の放熱板部材の上部両側にそれぞれ備えられて使用者の鼻の内部にレーザーを照射するレーザーダイオード部；前記レーザーダイオード部と前記放熱部の放熱板部材を内部に収容した状態で前記本体の上部に固定され、使用者の鼻の内部に挿入されるヘッド部；および前記本体と前記放熱部の両側に連結された状態で使用者の後頭または耳部位に固定されて使用者の鼻の内部に挿入された前記ヘッド部を位置固定する固定部；を含むことを特徴とする。
【００１５】
また、前記放熱部の一側放熱翼部は前記本体の上部に水平具備される前記放熱板部材の一側に、前後方向に一定間隔で垂直形成される２個以上の一側放熱翼板からなり、前記放熱部の他側放熱翼部は前記本体の上部に水平具備される前記放熱板部材の他側に、前後方向に一定間隔で垂直形成される２個以上の他側放熱翼板からなることを特徴とする。
【００１６】
また、前記本体の前面の両側には前記本体の前方方向に突出して使用者の鼻溝と接する支持板がそれぞれ垂直形成され、前記支持板の前側面は上部から下部方向に行くほど前記本体の前方方向に下向き傾斜し、前記支持板の下側面は前記本体の前方方向から前記本体の前面の下部方向に行くほど下向き傾斜することを特徴とする。
【００１７】
また、前記ヘッド部は前記放熱部の放熱板部材を内部に収容した状態で前記本体の上部に水平固定される固定板；および前記固定板の両側上部にそれぞれ垂直形成され、内部に前記レーザーダイオード部が収容され、上部面に透明材質のカバーが備えられ、使用者の鼻の内部に挿入される鼻挿入部；を含み、前記鼻挿入部の外周縁には前記鼻挿入部の内側に一定の深さで陥没する溝が等間隔で形成されることを特徴とする。
【００１８】
また、前記ヘッド部の固定板上部面の中心部には使用者の鼻の下部中心部を収容する収容溝部が一定の深さで形成されることを特徴とする。
【００１９】
また、前記本体内部の両側上部にそれぞれ上部方向に突出する上部係止突起が形成され、前記放熱部の放熱板部材の底面の両側にそれぞれ下部方向に突出する下部係止突起が形成され、固定部は使用者の後頭を囲んだ状態で位置固定される軟性材質のケーブル；および前記ケーブルの両端部にそれぞれ備えられ、外周縁に前記上部係止突起と下部係止突起が係合される環状の係止溝が一定深さでそれぞれ陥没形成される一側および他側固定部材；を含むことを特徴とする。
【００２０】
また、前記本体内部の両側上部にそれぞれ上部方向に突出する上部係止突起が形成され、前記放熱部の放熱板部材の底面の両側にそれぞれ下部方向に突出する下部係止突起が形成され、固定部は他端部が使用者の両側の耳上部の部位に係合される軟性材質の一側および他側ケーブル；および前記一側および他側ケーブルの一端部にそれぞれ備えられ、外周縁に前記上部係止突起と下部係止突起が係合される環状の係止溝が一定深さでそれぞれ陥没形成される一側および他側固定部材；を含むことを特徴とする。
【００２１】
また、波長帯域が６３０ｎｍ〜７００ｎｍであるレーザーダイオード、７００ｎｍ〜８１０ｎｍであるレーザーダイオードおよび８１０ｎｍ〜１３００ｎｍであるレーザーダイオードからなるレーザーダイオード部のうち選択された２個以上のレーザーダイオードが前記ヘッド部の内部に収容されることを特徴とする。
【００２２】
また、前記レーザーダイオード部を制御する操作部が備えられ、前記操作部は前記レーザーダイオード部に電源を供給するバッテリー；および前記バッテリーから前記レーザーダイオード部に電源を供給および遮断するスイッチ部；バッテリーから前記レーザーダイオード部への電源供給の有無および前記レーザーダイオード部の作動の有無に関する情報を出力するディスプレイ部；前記レーザーダイオード部の作動時間に関する情報を設定するタイマー部；前記バッテリーの電源量を検出してデジタル信号に変換出力するＡ／Ｄコンバータと；警報音を出力するスピーカー部；光を発光する発光部材；および前記スイッチ部とタイマー部の出力信号および前記Ａ／Ｄコンバータの検出値により前記レーザーダイオード部、ディスプレイ部、スピーカー部および発光部材を制御するマイクロプロセッサ；を含むことを特徴とする。
【００２３】
本発明の第１側面に係るレーザー照射装置は：上面に前記レーザーダイオードが設置されるステムと、一側が前記ステムを貫通するように設置されて別途設けられた印刷回路基板と前記レーザーダイオードを連結するリードと、前記レーザーダイオードを覆うように前記ステムの上面に設置される透明ウインドウがあるキャップに含まれるパッケージが備えられるＴＯ−ＣＡＮタイプであり、前記レーザーダイオードは波長帯域が異なることを特徴とする。
【００２４】
本発明の第２側面に係るレーザー照射装置は：陰極リードおよびレーザーダイオードと連結される陽極リードが形成された印刷回路基板と、前記陰極リードと前記レーザーダイオードを連結する陰極パッドと、前記印刷回路基板と前記レーザーダイオードと前記陰極パッドを覆うように設置される透明なエポキシを含むパッケージが備えられる表面実装タイプであり、前記レーザーダイオードは波長帯域が異なることを特徴とする。
【００２５】
また、前記レーザーダイオードは離隔距離が５０μｍ〜１００００μｍとなるように配列されることを特徴とする。
【００２６】
また、前記レーザーダイオードは垂直共振表面発光レーザーであることを特徴とする。
【００２７】
また、前記パッケージの中には静電気防止用ツェナーダイオードが設置されることを特徴とする。
【００２８】
また、前記パッケージの中には同一波長帯域のレーザーダイオードが隣接しないように前記レーザーダイオードが設置されることを特徴とする。
【００２９】
本発明の第３側面に係る医療用レーザー装置は：一つの前記パッケージには波長帯域が６３０〜７００ｎｍであるレーザーダイオード、波長帯域が７００〜８１０ｎｍであるレーザーダイオードおよび波長帯域が８１０〜１３００ｎｍであるレーザーダイオードの中から選択された少なくとも二つの波長帯域のレーザーダイオードが設置されることを特徴とする。
【００３０】
本発明の第４側面に係る医療用レーザー装置は：レーザー照射装置と、取っ手と、ブラシが植えられたヘッド部からなる櫛形態の本体と、前記レーザー照射装置に電源を供給する電源供給装置を含み、前記レーザー照射装置は前記ブラシの端部方向にレーザーが照射されるように前記本体内部に設置されることを特徴とする。
【発明の効果】
【００３１】
本発明に係る医療用レーザー装置およびレーザー照射装置は、使用者の鼻の内部に挿入される挿入部の挿入管内に使用者の鼻の内部で発生する鼻水などを含む異物を収容できるため、使用者の鼻の内部で発生した鼻水などを含む異物が本体の外周面に沿って流れ落ちる恐れがないことはもちろん、これによって本体の美観が低下する恐れがなく、さらに挿入部の測板に形成されて挿入部の挿入管の内部と連通する案内孔または案内溝部を通じて挿入部の挿入管が鼻の内部に挿入された使用者が、より円滑に呼吸できるだけでなく挿入部を本体の上部により簡便に装着固定および分離させることができるため、使用者が挿入管内に流入した鼻水などを含む異物の洗滌除去をより容易に行うことができる。
【００３２】
また、本発明は使用者の鼻の内部にレーザーを照射するレーザーダイオード部を通じて鼻炎などを含む鼻疾患をより容易に治療することができ、特にレーザーダイオード部を利用して鼻炎などを含む鼻疾患を治療する過程中に使用者が円滑に呼吸できることはもちろん、これによって着用感を大きく向上でき、さらにレーザーダイオード部で発生する高熱を外部に放出する放熱部によってレーザーダイオード部で発生する高熱によってレーザーダイオード部に故障などの安全事故が発生する恐れをより容易に防止できることはもちろん、これによってレーザーダイオード部の長期使用ができ、合わせて使用者の吸気、呼気によって放熱部とレーザーダイオード部の温度をより容易に下げることができるだけでなく、使用者の後頭または耳部位に固定されてレーザーダイオード部を内部に収容した状態で使用者の鼻の内部に挿入されるヘッド部を位置固定する固定部により使用者が手で本体を常時把持する必要がないことはもちろん、使用者が他の仕事をしながら鼻炎などを含む鼻疾患を治療することができる。
【００３３】
また、本発明は放熱部の一側放熱翼部と他側放熱翼部が２個以上の一側放熱翼板と２個以上の他側放熱翼板でそれぞれ構成される場合、放熱部がレーザーダイオード部で発生する高熱をより高い効率で放出することができる。
【００３４】
また、本発明は本体の前面の両側にそれぞれ垂直形成されて使用者の鼻溝と接する支持板によりレーザーダイオード部が内部に収容されたヘッド部の鼻挿入部が下部から上部方向に行くほど上向き傾斜した状態で使用者の鼻の内部により容易に挿入固定できることはもちろん、これによってレーザーダイオード部が使用者の鼻の内部の鼻炎などの疾患部位により容易にレーザーを照射することができる。
【００３５】
また、本発明はヘッド部の鼻挿入部外周縁に等間隔で形成される溝を通じて使用者が吸気と呼気を含む呼吸をより円滑に行うことができるため、使用者の着用感をさらに大きく向上できることはもちろん、鼻挿入部の溝、２個以上の一側放熱翼板の間の溝および２個以上の他側放熱翼板の間の溝を通過する使用者の吸気と呼気を通じて放熱部とレーザーダイオード部の温度をさらに容易に下げることができる。
【００３６】
また、本発明はヘッド部の固定板上部面の中心部に形成される収容溝部に使用者の鼻の下部中心部が収容されるため、固定板の上部面の中心部が使用者の鼻の下部中心部に加える圧迫感を最小化することができ、使用者の着用感をさらに大きく向上することができる。
【００３７】
また、本発明は軟性材質のケーブルと、一側および他側固定部材からなって使用者の後頭を囲んだ状態で位置固定される固定部を通じてヘッド部の鼻挿入部が使用者の鼻の内部に挿入された状態でより容易に位置固定され得る。
【００３８】
また、本発明は軟性材質の一側および他側ケーブルと、一側および他側固定部材からなって使用者の耳上部の部位に係合される固定部を通じてもヘッド部の鼻挿入部が使用者の鼻の内部に挿入された状態でより容易に位置固定され得る。
【００３９】
また、本発明は波長帯域が異なる２個以上のレーザーダイオードがヘッド部の鼻挿入部の内部に収容されるため、使用者の鼻の内部に多波長のレーザーを同時に照射できるだけでなく、これによって鼻炎などの疾患部位組織の種類、状態および皮膚の色などの様々な変数にかかわらず使用者の鼻の内部の鼻炎などの疾患部位を高い効率で治療することができる。
【００４０】
また、本発明は使用者が携帯できる小型の操作部を通じて使用者がより簡便かつ便利にレーザーダイオード部の作動を制御することができる。
【００４１】
また、本発明は互いに異なる波長を有するレーザーダイオードをパッケージ内部のステム上に複数個ダイボンディングして多波長方式のパッケージを構成し、構成されたＴＯ−ＣＡＮ内部のレーザーダイオードに個別的に電流を加えて同時に複数個の波長が放出されるようにしたものである。これは治療部位に照射される際に単一波長ではない複数個の波長を有するレーザー円形ビームが同時に照射されるようにしたもので、レーザーダイオード間の離隔距離を５０μｍ〜１００００μｍ以内に維持して多数個のレーザービームが同じ部位において円形ビームで照射されるようにした。このような方式の照射は組織の種類、組織の状態、病気の状態、皮膚の色などの様々な変数があっても効果的な治療が可能である。
【００４２】
また、本発明は垂直共振表面発光レーザーを使うことによって従来に側面発光レーザーを利用する場合よりもバッテリーの使用時間を最大６倍以上向上させ、出力時間による波長の変化を最小化した長所があるため所望の波長が作動時間内で維持されるようにして従来のレーザー照射機に比べて脱毛防止および発毛効果が優秀であるだけでなく、頭皮管理を最適化するため一般の毛髪管理器としても使用できるように用途を多角化することができる。
【図面の簡単な説明】
【００４３】
【図１】本発明の第１実施例に係る医療用レーザー装置を示した斜視図。
【図２】本発明の第１実施例に係る医療用レーザー装置の本体から挿入部が分離された状態をそれぞれ示した分解斜視図。
【図３】本発明の第１実施例に係る医療用レーザー装置の本体から挿入部が分離された状態をそれぞれ示した分解斜視図。
【図４】本発明の第１実施例に係る医療用レーザー装置の本体から挿入部が分離された状態をそれぞれ示した分解斜視図。
【図５】本発明の第１実施例に係る医療用レーザー装置の本体から挿入部が分離された状態をそれぞれ示した分解斜視図。
【図６】本発明の第１実施例に係る医療用レーザー装置の本体から挿入部が分離された状態をそれぞれ示した分解斜視図。
【図７】図３のＡ−Ａ線に沿った断面図。
【図８】本発明の第１実施例に係る医療用レーザー装置の固定部を示した分解斜視図。
【図９】本発明の第１実施例に係る医療用レーザー装置の固定部の係合棒が使用者の耳部位に係合された状態を示した側面図。
【図１０】本発明の第１実施例に係る医療用レーザー装置の図８のＢ−Ｂ線に沿った断面図。
【図１１】本発明の第１実施例に係る医療用レーザー装置の係合棒が上下回転移動する状態を示した側面図。
【図１２】本発明の第１実施例に係る医療用レーザー装置の固定部の他の例を示した分解斜視図。
【図１３】図１２の固定部が使用者の後頭を囲んだ状態を示した側面図。
【図１４】本発明の第１実施例に係る医療用レーザー装置の固定部のさらに他の例を示した斜視図。
【図１５】図１４の固定部が使用者の耳部位に係合されることを示した側面図。
【図１６】図１４のＣ−Ｃ線に沿った断面図。
【図１７】本発明の第１実施例に係る医療用レーザー装置の固定部のさらに他の例を概略的に示した斜視図。
【図１８】本発明の第１実施例に係る医療用レーザー装置の電源ケーブルの前端部がレーザー照射部に連結された状態を示した断面図。
【図１９】図１７の固定部が使用者の後頭を囲んだ状態を示した側面図。
【図２０】本発明の第２実施例に係る医療用レーザー装置を示した斜視図。
【図２１】本発明の第２実施例に係る医療用レーザー装置の分解斜視図。
【図２２】本発明の第２実施例に係る医療用レーザー装置のヘッド部の底面状態を概略的に示した斜視図。
【図２３】本発明の第２実施例に係る医療用レーザー装置の本体と放熱部の両側に連結される固定部の一例を示した分解斜視図。
【図２４】図２３の固定部が使用者の後頭を囲んだ状態で位置固定された状態を概略的に示した側面図。
【図２５】本発明の第２実施例に係る医療用レーザー装置の本体と放熱部の両側に連結される固定部の他の例を概略的に示した分解斜視図。
【図２６】図２５の固定部が使用者の耳上部の部位に係合された状態を概略的に示した側面図。
【図２７】本発明の第２実施例に係る医療用レーザー装置の複数のレーザーダイオードからなるレーザーダイオード部を概略的に示した斜視図。
【図２８】本発明の第２実施例に係る医療用レーザー装置の操作部を示した斜視図。
【図２９】本発明の第２実施例に係る医療用レーザー装置の操作部の後面の状態を示した背面図。
【図３０】本発明の第２実施例に係る医療用レーザー装置の操作部の下部の状態を示した底面図。
【図３１】本発明の第２実施例に係る医療用レーザー装置の操作部の制御状態を示したブロック図。
【図３２】本発明の第３実施例に係る医療用レーザー装置を示した斜視図。
【図３３】本発明の第３実施例に係る医療用レーザー装置を示した斜視図。
【図３４】本発明の第３実施例に係る医療用レーザー装置の側面図。
【図３５】本発明の第３実施例に係る医療用レーザー装置の正面図。
【図３６】本発明の第３実施例に係るレーザー照射装置のＴＯ−ＣＡＮ方式のパッケージを示した図面。
【図３７】本発明の第３実施例に係るレーザー照射装置の表面実装方式のパッケージを示した図面。
【図３８】本発明の第３実施例に係る医療用レーザー装置の制御状態を示したブロック図。
【発明を実施するための形態】
【００４４】
以下、添付された図面を参照して本発明の実施例に係る医療用レーザー装置およびレーザー照射装置を説明する。
【００４５】
この過程で図面に図示された線の厚さや構成要素の大きさなどは説明の明瞭性と便宜上誇張されて図示され得る。また、後述される用語は、本発明での機能を考慮して定義された用語であって、これは使用者、運用者の意図または慣例により変更することができる。したがって、このような用語に対する定義は本明細書全般に亘った内容に基づいて定められるべきである。
【００４６】
図１は本発明の第１実施例に係る医療用レーザー装置を示した斜視図であり、図２〜図６は本発明の第１実施例に係る医療用レーザー装置の本体から挿入部が分離された状態をそれぞれ示した分解斜視図であり、図７は図３のＡ−Ａ線に沿った断面図であり、図８は本発明の第１実施例に係る医療用レーザー装置の固定部を示した分解斜視図であり、図９は本発明の第１実施例に係る医療用レーザー装置の固定部の係合棒が使用者の耳部位に係合された状態を示した側面図であり、図１０は本発明の第１実施例に係る医療用レーザー装置の図８のＢ−Ｂ線に沿った断面図であり、図１１は本発明の第１実施例に係る医療用レーザー装置の係合棒が上下回転移動する状態を示した側面図であり、図１２は本発明の第１実施例に係る医療用レーザー装置の固定部の他の例を示した分解斜視図であり、図１３は図１２の固定部が使用者の後頭を囲んだ状態を示した側面図であり、図１４は本発明の第１実施例に係る医療用レーザー装置の固定部のさらに他の例を示した斜視図であり、図１５は図１４の固定部が使用者の耳部位に係合されることを示した側面図であり、図１６は図１４のＣ−Ｃ線に沿った断面図であり、図１７は本発明の第１実施例に係る医療用レーザー装置の固定部のさらに他の例を概略的に示した斜視図であり、図１８は本発明の第１実施例に係る医療用レーザー装置の電源ケーブルの前端部がレーザー照射部に連結された状態を示した断面図であり、図１９は図１７の固定部が使用者の後頭を囲んだ状態を示した側面図である。
【００４７】
図１〜図６を参照すれば、本発明の第１実施例に係る医療用レーザー装置１は、本体１０１０、レーザー照射部１０２０および挿入部１０３０を含む。
【００４８】
レーザー照射部１０２０は、本体１０１０に備えられ、使用者の鼻の内部にレーザーを照射する。すなわち、レーザー照射部１０２０は使用者の鼻の内部の鼻炎などを含む疾患部位にレーザーを照射して疾患部位を治療する。
【００４９】
図２のように、レーザー照射部１０２０は本体１０１０の外部に露出するように本体１０１０の上部面の一側と上部面の他側にそれぞれ垂直方向に備えられ得る。
【００５０】
図３〜図６のように、レーザー照射部１０２０は、本体１０１０の外部に本体１０１０の外部に露出されないように本体１０１０の上側内部の一側と上側内部の他側にそれぞれ垂直方向に備えられ得る。これによって、使用者の鼻の内部で発生して挿入部１０３０内に流入した鼻水などを含む異物がレーザー照射部１０２０の外周面に付着することが防止され得る。
【００５１】
レーザー照射部１０２０が本体１０１０の上側内部の一側と上側内部の他側にそれぞれ垂直方向に備えられる場合、本体１０１０は上部本体１１００と下部本体１１０１で構成され得る。下部本体１１０１は上部本体１１００の下部に一体形成される。上部本体１１００は上部板１１００ａと測板１１００ｂで構成され得る（図７参照）。上部板１１００ａは透明材質の強化ガラスなどで構成され得る。
【００５２】
測板１１００ｂは上部板１１００ａの縁に上部板１１００ａの下部方向に一定の長さで垂直方向に延長形成され得る。測板１１００ｂの下端部は下部本体１１０１の上部面の縁に一体型で装着固定され得る。
【００５３】
下部本体１１０１の上部面の一側と上部面の他側にはレーザー照射部１０２０がそれぞれ垂直方向に備えられ得る。このとき、下部本体１１０１の上部面の一側と上部面の他側にそれぞれ垂直方向に備えられたレーザー照射部１０２０は測板１１００ｂの内側に形成される下側が開放された収容空間１１００ｃの内部に収容され得る。
【００５４】
図１〜図６に図示されたように、挿入部１０３０は挿入管１３１０、下部板１３２０および測板１３３０を含む。挿入管１３１０は使用者の鼻の内部に挿入される上側と下側が開放され得る。挿入管１３１０は上下方向に一定長さ延長され、断面形状が円形状などに形成され得る一側挿入管１３１１および他側挿入管１３１２で構成され得る。挿入管１３１０は使用者の鼻の内部に挿入される。
【００５５】
具体的に、レーザー照射部１０２０が本体１０１０の外部に露出するように本体１０１０の上部面の一側と上部面の他側にそれぞれ垂直方向に備えられる場合、挿入管１３１０の内部にレーザー照射部１０２０がそれぞれ収容され得、挿入管１３１０の内部にそれぞれ収容されたレーザー照射部１０２０は使用者の鼻の内部の鼻炎などを含む疾患部位にレーザーを照射する。
【００５６】
仮に、レーザー照射部１０２０が本体１０１０の外部に露出しないように本体１０１０の上部本体１１００内に収容される場合、レーザー照射部１０２０が照射するレーザーは上部本体１１００の透明材質の上部板１１００ａと挿入管１３１０の内部を順次通過することができる。
【００５７】
下部板１３２０は挿入管１３１０の下部に水平方向に備えられる。下部板１３２０の上部面の一側には一側挿入管１３１１が垂直方向に形成され得る。下部板１３２０の上部面の他側には他側挿入管１３１２が垂直方向に形成され得る。
【００５８】
測板１３３０は下部板１３２０の縁に下部板１３２０の下部方向に一定の長さ延長形成される。測板１３３０は本体１０１０の上部面の縁に使用者によって分離可能に装着される。測板１３３０の表面には挿入管１３１０の内部と連通する案内孔１３３１または案内溝部１３３２が一定間隔で形成される。
【００５９】
図２〜図４に図示されたように、案内孔１３３１は四角形の形状に形成されるが、これに限定されず、円形状などの多様な形態に変更され得る。同様に、案内溝部１３３２は下側が開放された四角形の形状に形成されるが、これに限定されず、円形状などの多様な形態に変更され得る（図５および図６参照）。案内溝部１３３２は測板１３３０の上部方向に一定深さで垂直に陥没され得る。
【００６０】
使用者の呼吸に必要な本体１０１０の外部空気は案内孔１３３１または案内溝部１３３２を通って挿入管１３１０の内部をそれぞれ通過して使用者に供給され得る。
【００６１】
次いで、本体１０１０の前面中心部と後面中心部にはそれぞれ係止部１１１０が形成される（図２〜図６参照）。係止部１１１０は前側係止部１１１１と後側係止部１１１２で構成され得る。このとき、前側係止部１１１１の一端部と前側係止部１１１１の他端部は本体１０１０の前面中心部方向にそれぞれ折り曲げられて本体１０１０の前面中心部に溶接などの多様な方法によって一体型で付着固定され得る。
【００６２】
後側係止部１１１２の一端部と後側係止部１１１２の他端部は本体１０１０の後面中心部方向にそれぞれ折り曲げられて本体１０１０の後面中心部に溶接などの多様な方法によって一体型で付着固定され得る。
【００６３】
挿入部１０３０の測板１３３０の前面中心部と挿入部１０３０の測板１３３０の後面中心部には使用者によって係止部１１１０内に収容された状態で係合される係合部１３４０が一体型で垂直方向に形成され得る。
【００６４】
係合部１３４０は前側係合部１３４１と後側係合部１３４２で構成され得る。前側係合部１３４１は前側係合板１３４１ａと前側係止突起１３４１ｂで構成され得る。前側係合板１３４１ａの上側は挿入部１０３０の測板１３３０の前面中心部に一体型で連結され得る。前側係合板１３４１ａの下側は前側係止部１１１１の内側に収容され得る。
【００６５】
前側係止突起１３４１ｂは前側係合板１３４１ａの下端部外周面に前側係合板１３４１ａの外部方向に突出形成され得る。本実施例では前側係止突起１３４１ｂが断面形状が逆直角三角形の形状に形成されるが、これに限定されず、逆四角形の形状などの多様な形状に形成され得る。前側係止突起１３４１ｂの上部面は前側係止部１１１１の下部面中心部と接した状態で前側係止部１１１１の下部面中心部に係合され得る。
【００６６】
後側係合部１３４２は後側係合板１３４２ａと後側係止突起１３４２ｂで構成され得る。後側係合板１３４２ａの上側は挿入部１０３０の測板１３３０後面中心部に一体型で連結され得る。後側係合板１３４２ａの下側は後側係止部１１１２の内側に使用者によって収容され得る。後側係止突起１３４２ｂは後側係合板１３４２ａの下端部外周面に後側係合板１３４２ａの外部方向に突出形成され得る。本実施例では後側係止突起１３４２ｂが断面形状が逆直角三角形の形状に形成されるが、これに限定されず、逆四角形の形状などの多様な形状に形成され得る。また、後側係止突起１３４２ｂの上部面は後側係止部１１１２の下部面中心部と接した状態で後側係止部１１１２の下部面中心部に係合され得る。
【００６７】
本体１０１０の前面中心部と後面中心部にそれぞれ形成される係止部１１１０と、挿入部１０３０の測板１３３０の前面中心部と後面中心部にそれぞれ一体型で垂直形成されて係止部１１１０内に収容された状態で係合される係合部１３４０を通じて使用者が挿入部１０３０を本体１０１０の上部にさらに簡便かつ便利に装着固定および分離させることができる。
【００６８】
係合部１３４０には係合部１３４０の外側に突出する突起１３５０が一体型で一定間隔で形成され得る。このとき、係合部１３４０に一定間隔で形成される突起１３５０は使用者の指部位と接することができる。これによって、使用者が指を使って係止部１１１０に係合部１３４０を係合させる過程中に使用者の指と係合部１３４０の間にスリップ現象が発生することをより容易に防止することができる。
【００６９】
突起１３５０は断面形状が四角の形状に形成され得る。これに限定されず、半円形状などの多様な形態で形成され得る。突起１３５０は前側突起１３５１と後側突起１３５２で構成され得る。前側突起１３５１は係合部１３４０の前側係合部１３４１の前側係合板１３４１ａの中心部外周面に外側に突出した状態で一定間隔で一体形成され得る。
【００７０】
後側突起１３５２は係合部１３４０の後側係合部１３４２の後側係合板１３４２ａの中心部外周面に外側に突出した状態で一定間隔で一体形成され得る。
【００７１】
本体１０１０の上部面の縁には本体１０１０の上部方向に一定の長さで垂直に突出する突出段１１２０が一体形成され得る（図２〜図７参照）。突出段１１２０の上部面には挿入部１０３０の測板１３３０の下部面が装着され得る。
【００７２】
したがって、使用者の鼻の内部で発生した鼻水などを含む異物は挿入部１０３０の挿入管１３１０内に流入して突出段１１２０の内側に収容され得るようになり、これによって使用者の鼻の内部で発生した鼻水などを含む異物が案内孔１３３１または案内溝部１３３２を通過して本体１０１０の外周面に沿って流れ落ちる恐れをさらに容易に防止することができる。
【００７３】
本体１０１０の一側と他側にそれぞれ固定部１０４０が備えられ得る（図８参照）。固定部１０４０は本体１０１０の一側と他側にそれぞれ連結された状態で使用者の耳部位に係合されて、使用者の鼻の内部に挿入された挿入部１０３０の挿入管１３１０を位置固定させる。
【００７４】
本体１０１０の一側下部と他側下部にはそれぞれ本体１０１０の内部と連通する一側連結管１６１０と他側連結管１６２０で構成される連結管１０６０が一体型で形成され得る（図１、図２、図４、図６参照）。
【００７５】
連結管１０６０の一側連結管１６１０と他側連結管１６２０の断面形状が円形状に形成されるが、これに限定されず、状況によって四角形などの多様な形状に形成され得る。
【００７６】
連結管１０６０の一側連結管１６１０の上部外周面と下部外周面および連結管１０６０の他側連結管１６２０の上部外周面と下部外周面には前後方向に一定の長さで延長される上下側が開放された一側ガイドスリット１６１１および他側ガイドスリット１６１２で構成されるガイドスリット１０６１が一定間隔で形成され得る。
【００７７】
固定部１０４０は連結棒１４１０と係合棒１４２０を含む。連結棒１４１０は一側連結棒１４１１および他側連結棒１４１２を含む。一側連結棒１４１１は使用者の顔の両側面にそれぞれ備えられる。一側連結棒１４１１の前端部は本体１０１０の一側に正逆回転可能に結合され得る。
【００７８】
一側連結棒１４１１は第１一側連結棒１４１１ａ、第２一側連結棒１４１１ｂ、一側ガイド板１４１１ｃおよび一側ガイド突起１４１１ｄを含む。第１一側連結棒１４１１ａは前後方向に一定の長さで延長され得る。
【００７９】
第２一側連結棒１４１１ｂは左右方向に一定の長さで延長され得る。第２一側連結棒１４１１ｂの一端部は第１一側連結棒１４１１ａの前端部に一体型で連結され得る。
【００８０】
一側ガイド板１４１１ｃは円形状であり、第２一側連結棒１４１１ｂの他端部に一体型で垂直方向に形成され得る。このとき、一側ガイド板１４１１ｃの形状は円形状に限定されたものではなく、状況によって六角形の形状などの多様な形状に変更され得る。また、一側ガイド板１４１１ｃは連結管１０６０の一側連結管１６１０内に正逆回転可能に収容され得る。
【００８１】
一側ガイド突起１４１１ｄは一側ガイド板１４１１ｃの外周面に一定間隔で突出形成され得る。一側ガイド突起１４１１ｄは一側ガイドスリット１６１１内に収容され得る。
【００８２】
他側連結棒１４１２の前端部は本体１０１０の他側に正逆回転可能に結合され得る。他側連結棒１４１２は第１他側連結棒１４１２ａ、第２他側連結棒１４１２ｂ、他側ガイド板１４１２ｃおよび他側ガイド突起１４１２ｄを含む。第１他側連結棒１４１２ａは前後方向に一定の長さ延長され得る。
【００８３】
第２他側連結棒１４１２ｂは左右方向に一定の長さ延長され得る。第２他側連結棒１４１２ｂの他端部は第１他側連結棒１４１２ａの前端部に一体型で連結され得る。他側ガイド板１４１２ｃは円形状であり、第２他側連結棒１４１２ｂの一端部に一体型で垂直形成され得る。このとき、他側ガイド板１４１２ｃの形状は円形状に限定されるものではなく、状況によって六角形の形状などの多様な形状に変更され得る。他側ガイド板１４１２ｃは連結管１０６０の他側連結管１６２０内に正逆回転可能に収容され得る。
【００８４】
他側ガイド突起１４１２ｄは他側ガイド板１４１２ｃの外周面に一定間隔で突出形成され得る。他側ガイド突起１４１２ｄは他側ガイドスリット１６１２内に収容され得る。
【００８５】
係合棒１４２０は一側係合棒１４２１と他側係合棒１４２２を含む。一側係合棒１４２１と他側係合棒１４２２は使用者の耳部位を囲んだ状態で使用者の耳部位にそれぞれ係合される。一側係合棒１４２１と他側係合棒１４２２はそれぞれ「Ｃ」の形状に形成されるが、これに限定されず、状況によって多様な形状に変更され得る。
【００８６】
一側係合棒１４２１の上部前側は連結棒１４１０の一側連結棒１４１１の第１一側連結棒１４１１ａの後端部に軸結合され得る。他側係合棒１４２２の上部前側は連結棒１４１０の他側連結棒１４１２の第１他側連結棒１４１２ａの後端部に軸結合され得る。すなわち、固定部１０４０を通じて使用者の鼻の内部に挿入された状態である挿入部１０３０の挿入管１３１０が使用者の鼻の外部に離脱しないようにより容易に位置固定され得る。
【００８７】
連結棒１４１０の後端部に係合棒１４２０の上部を軸結合させる軸部材１０５０が備えられ得る（図１０参照）。軸部材１０５０は固定ボルト１５１０とナット１５２０を含む。固定ボルト１５１０は連結棒１４１０の後端部と係合棒１４２０の上部を貫通する。このとき、ナット１５２０は固定ボルト１５１０とねじ結合される。具体的に、固定ボルト１５１０は一側固定ボルト１５１１と他側固定ボルト１５１２を含む。一側固定ボルト１５１１は連結棒１４１０の一側連結棒１４１１の第１一側連結棒１４１１ａの後端部と係合棒１４２０の一側係合棒１４２１の上部前側を水平に貫通することができる。
【００８８】
他側固定ボルト１５１２は連結棒１４１０の他側連結棒１４１２の第１他側連結棒１４１２ａの後端部と係合棒１４２０の他側係合棒１４２２の上部前側を水平に貫通することができる。
【００８９】
ナット１５２０は一側ナット１５２１と他側ナット１５２２を含む。一側ナット１５２１は一側固定ボルト１５１１の一端部にねじ結合されて第１一側連結棒１４１１ａの後端部に密着固定され得る。他側ナット１５２２は他側固定ボルト１５１２の他端部にねじ結合されて第１他側連結棒１４１２ａの後端部に密着固定され得る。
【００９０】
これによって、軸部材１０５０を通じて連結棒１４１０の後端部に係合棒１４２０の上部がより容易に軸結合され得る。
【００９１】
図１１を参照すれば、使用者はナット１５２０の密着固定状態を解除した状態で係合棒１４２０の上部前側を基準として係合棒１４２０の下部を上下方向に回転移動させることができる。
【００９２】
係合棒１４２０の下部を上下方向に回転移動させた後、使用者はナット１５２０を使って下部が上下方向に回転移動（図１１の実線矢印参照）された状態である係合棒１４２０を位置固定させることができる。
【００９３】
特に、係合棒１４２０が使用者の耳部位を囲んだ状態で使用者の耳部位に係合された状態で使用者が係合棒１４２０の下部を係合棒１４２０の下部方向に円を描くように回転移動させる時、係合棒１４２０は連結棒１４１０の後端部を使用者の耳部位方向に引っ張ることになる（図１１の点線矢印参照）。これに伴い、挿入部１０３０の挿入管１３１０が使用者の鼻の内部に挿入された状態である本体１０１０は使用者の鼻溝部位に強く密着することができる。
【００９４】
これとは違って、係合棒１４２０が使用者の耳部位を囲んだ状態で使用者の耳部位に係合された状態で使用者が係合棒１４２０の下部を係合棒１４２０の上部方向に円を描くように回転移動させる時、係合棒１４２０は連結棒１４１０の後端部を使用者の耳の前方方向に押すことになる（図１１の点線矢印参照）。これに伴い、挿入部１０３０の挿入管１３１０が使用者の鼻の内部に挿入された状態である本体１０１０は使用者の鼻溝部位に弱く密着することができる。したがって、係合棒１４２０を通じて使用者の鼻溝部位に密着する本体１０１０の密着程度をより容易に調節することができる。
【００９５】
固定部１０４０は軟性材質の「Ｃ」の形状のケーブル１４３０で構成される（図１２参照）。ケーブル１４３０の前端部の一側と前端部の他側は本体１０１０の一側と他側に回転可能に結合される。具体的に、ケーブル１４３０の前端部の一側と前端部の他側にはそれぞれ前記にて詳述した外周面に一側ガイド突起１４１１ｄが一定間隔で形成される一側ガイド板１４１１ｃおよび外周面に他側ガイド突起１４１２ｄが一定間隔で形成される他側ガイド板１４１２ｃが一体型でそれぞれ垂直方向に形成される。ケーブル１４３０の後端部は使用者の後頭を囲んだ状態で位置固定される（図１３参照）。
【００９６】
したがって、固定部１０４０を通じて使用者の鼻溝部位に本体１０１０がより容易に密着した状態で位置固定され得る。
【００９７】
図１４〜図１６を詳察すると、電源ケーブル１４４０で構成され得る固定部１０４０の上側は使用者の耳部位を囲んだ状態で係合され得る。
【００９８】
電源ケーブル１４４０で構成され得る固定部１０４０の下側は使用者の顎の下部面の下側方向に流れ落ちた状態で位置することができる（図１５（ｃ）参照）。具体的に、電源ケーブル１４４０は一側電源ケーブル１４４１と他側電源ケーブル１４４２で構成され、一側電源ケーブル１４４１の上側は使用者の耳部位を囲んだ状態で本体１０１０の一側連結管１６１０の内部を貫通して本体１０１０の内部に入った状態でレーザー照射部１０２０に連結される。同様に、他側電源ケーブル１４４２の上側は使用者の耳部位を囲んだ状態で本体１０１０の他側連結管１６２０の内部を貫通して本体１０１０の内部に入った状態でレーザー照射部１０２０に連結され得る。
【００９９】
図１５のように、固定部材１０７０は一側電源ケーブル１４４１の下側と他側電源ケーブル１４４２の下側を使用者の顎の下部面に密着固定するか（図１５（ａ）参照）、使用者の顎の下部面の下側方向に一定間隔を維持した状態で位置固定させることができる（図１５（ｂ）参照）。
【０１００】
したがって、固定部材１０７０を使って一側電源ケーブル１４４１の下側と他側電源ケーブル１４４２の下側を使用者の顎の下部面にそれぞれより容易に密着固定または使用者の顎の下部面の下側方向に一定間隔を維持した状態でより容易に位置固定させることができる。
【０１０１】
固定部材１０７０は一側上下移動部材１７１０と他側上下移動部材１７２０を含む（図１６参照）。一側上下移動部材１７１０と他側上下移動部材１７２０は「Ｃ」の形状に形成され得る。一側上下移動部材１７１０は一側電源ケーブル１４４１を囲んだ状態で一側電源ケーブル１４４１の長さ方向に使用者によって上下移動して使用者の顎の下部面と接するか使用者の顎の下部面の下側方向に一定間隔を維持した状態で位置固定され得る。
【０１０２】
他側上下移動部材１７２０は一側上下移動部材１７１０の他側に一体型で形成され得る。他側上下移動部材１７２０は他側電源ケーブル１４４２を囲んだ状態で他側電源ケーブル１４４２の長さ方向に上下移動して使用者の顎の下部面と接するか使用者の顎の下部面の下側方向に一定間隔を維持した状態で位置固定され得る。
【０１０３】
このとき、固定部材１０７０は一側電源ケーブル１４４１と他側電源ケーブル１４４２の下側を囲んだ状態で一側電源ケーブル１４４１と他側電源ケーブル１４４２の長さ方向に使用者によって上下移動する公知のケーブルタイであり得る。これは限定されたものではなく、一側電源ケーブル１４４１と他側電源ケーブル１４４２の下側を使用者の顎の下部面に密着固定または使用者の顎の下部面の下側方向に一定間隔を維持した状態で位置固定させることができる部材であればすべて使うことができる。
【０１０４】
図１７および図１９に図示されたように、固定部１０４０はレーザー照射部１０２０に電源を供給する電源ケーブル１４４０で構成される。電源ケーブル１４４０は第１電源ケーブル１４４３と第２電源ケーブル１４４４を含む。第１電源ケーブル１４４３は「Ｃ」の形状になされ得る。第１電源ケーブル１４４３の前端部の一側と前端部の他側はそれぞれ本体１０１０の一側連結管１６１０の内部と他側連結管１６２０の内部を貫通して本体１０１０の内部に入った状態でレーザー照射部１０２０にそれぞれ連結される。第１電源ケーブル１４４３の後端部は使用者の後頭を囲んだ状態で位置固定される。
【０１０５】
第２電源ケーブル１４４４の前端部は第１電源ケーブル１４４３の後端部中心部に一体型で連結される。第２電源ケーブル１４４４の後端部はバッテリーなどを含む電源供給部（図示されず）と連結され得る。したがって、電源供給部（図示されず）の電源は第２電源ケーブル１４４４、第１電源ケーブル１４４３を順次通ってレーザー照射部１０２０に供給され得る。
【０１０６】
前述した通り、本発明は使用者の鼻の内部に挿入される挿入部１０３０の挿入管１３１０内に使用者の鼻の内部で発生する鼻水などを含む異物を収容できるため、使用者の鼻の内部で発生した鼻水などを含む異物が本体１０１０の外周面に沿って流れ落ちる恐れがないことはもちろん、本体１０１０の外観が低下する恐れがない。
【０１０７】
さらに、挿入部１０３０の測板１３３０に形成されて挿入部１０３０の挿入管１３１０の内部と連通する案内孔１３３１または案内溝部１３３２を通じて挿入部１０３０の挿入管１３１０が鼻の内部に挿入された使用者がより円滑に呼吸できるだけでなく、使用者が挿入部１０３０を本体１０１０の上部により簡便かつ便利に装着固定および分離させることができるため使用者が挿入管１３１０内に流入した鼻水などを含む異物の洗滌除去をより容易に行うことができる。
【０１０８】
以下では本発明の第２実施例に係る医療用レーザー装置２について説明する。このとき、第１実施例の内容のうち第２実施例と同じ内容は具体的な説明を省略する。
【０１０９】
図２０は本発明の第２実施例に係る医療用レーザー装置を示した斜視図であり、図２１は本発明の第２実施例に係る医療用レーザー装置の分解斜視図であり、図２２は本発明の第２実施例に係る医療用レーザー装置のヘッド部の底面状態を概略的に示した斜視図であり、図２３は本発明の第２実施例に係る医療用レーザー装置の本体と放熱部の両側に連結される固定部の一例を示した分解斜視図であり、図２４は図２３の固定部が使用者の後頭を囲んだ状態で位置固定された状態を概略的に示した側面図であり、図２５は本発明の第２実施例に係る医療用レーザー装置の本体と放熱部の両側に連結される固定部の他の例を概略的に示した分解斜視図であり、図２６は図２５の固定部が使用者の耳上部の部位に係合された状態を概略的に示した側面図であり、図２７は本発明の第２実施例に係る医療用レーザー装置の複数のレーザーダイオードからなるレーザーダイオード部を概略的に示した斜視図であり、図２８は本発明の第２実施例に係る医療用レーザー装置の操作部を示した斜視図であり、図２９は本発明の第２実施例に係る医療用レーザー装置の操作部の後面の状態を示した背面図であり、図３０は本発明の第２実施例に係る医療用レーザー装置の操作部の下部の状態を示した底面図であり、図３１は本発明の第２実施例に係る医療用レーザー装置の操作部の制御状態を示したブロック図である。
【０１１０】
図２０および図２１を参照すれば、本発明の第２実施例に係る医療用レーザー装置２は本体２０１０、放熱部２０３０、レーザーダイオード部２０５０、ヘッド部２０７０および固定部を含む。
【０１１１】
本体２０１０は底板２１１０、前面板２１３０および後面板２１５０を含む。前面板２１３０は水平状態である底板２１１０の前側で垂直方向に形成される。後面板２１５０は水平状態である底板２１１０の後側から垂直方向に形成される。
【０１１２】
底板２１１０の一側上部と他側上部には前面板２１３０と後面板２１５０の間に位置するように断面形状が円形状である一側および他側垂直軸２１１１、２１１３が一定間隔でそれぞれ形成され得る。
【０１１３】
本体２０１０はプラスチックなどの合成樹脂材質を含んで構成され得る。これは限定されるものではなく、状況によって他の材質に変更することができる。
【０１１４】
放熱部２０３０は放熱板部材２３１０と一側および他側放熱翼部２３３０、２３５０を含む。放熱板部材２３１０は本体２０１０の上部に水平方向に備えられる。放熱板部材２３１０の底面の両側には下部方向に延長される下側が開放された一側および他側収容壁２３０１、２３０３がそれぞれ形成され得る（図２１、図２３および図２５参照）。
【０１１５】
一側および他側収容壁２３０１、２３０３の内部には本体２０１０の一側および他側垂直軸２１１１、２１１３の上端部がそれぞれ収容固定され得る。一側放熱翼部２３３０は放熱板部材２３１０の一側に垂直方向に形成され、本体２０１０の前面板２１３０と後面板２１５０の一側外部に露出する。
【０１１６】
他側放熱翼部２３５０は放熱板部材２３１０の他側に垂直方向に形成され、本体２０１０の前面板２１３０と後面板２１５０の他側外部に露出する。
【０１１７】
放熱部２０３０はアルミニウム材質を含んで構成され得る。これは限定されるものではなく、状況によって他の材質に変更することができる。
【０１１８】
レーザーダイオード部２０５０は放熱板部材２３１０の上部両側にそれぞれ垂直方向に備えられて使用者の鼻の内部にレーザーを照射する。
【０１１９】
ヘッド部２０７０はレーザーダイオード部２０５０と放熱部２０３０の放熱板部材２３１０を内部に収容した状態で本体２０１０の前面板２１３０と後面板２１５０の上側に固定され、使用者の鼻の内部に挿入される。ヘッド部２０７０はプラスチックなどの合成樹脂材質を含んで構成され得る。これは限定されるものではなく、状況によって他の材質に変更することができる。
【０１２０】
固定部は本体２０１０と放熱部２０３０の両側に連結された状態で使用者の後頭または耳部位に固定されて使用者の鼻の内部に挿入されたヘッド部２０７０を位置固定する。
【０１２１】
具体的に、放熱部２０３０の一側放熱翼部２３３０は本体２０１０の前面板２１３０と後面板２１５０の上部に水平方向に備えられる放熱板部材２３１０の一側に前後方向に一定間隔で垂直方向に形成される２個以上の一側放熱翼板２３３１で構成され得る（図２１参照）。
【０１２２】
放熱部２０３０の他側放熱翼部２３５０は本体２０１０の前面板２１３０と後面板２１５０上部に水平方向に備えられる放熱板部材２３１０の他側に、前後方向に一定間隔で垂直形成される２個以上の他側放熱翼板２３５１で構成され得る（図２１参照）。
【０１２３】
このように、放熱部２０３０の一側放熱翼部２３３０と他側放熱翼部２３５０が２個以上の一側放熱翼板２３３１、２３５１でそれぞれ構成される場合、放熱部２０３０がレーザーダイオード部２０５０で発生する高熱をより高い効率で外部に放出することができる。
【０１２４】
図２０を詳察すると、本体２０１０の前面板２１３０の前面の両側には本体２０１０の前面板２１３０前方方向に突出して使用者の鼻溝と接する支持板２０８０がそれぞれ垂直方向に形成され得る。使用者の鼻溝と接する支持板２０８０の前側面は上部から下部方向に行くほど本体２０１０の前面板２１３０の前方方向に下向き傾斜され得る。また、支持板２０８０の下側面は本体２０１０の前面板２１３０の前方方向に本体２０１０の前面板２１３０の前面の下部方向に行くほど下向き傾斜され得る。
【０１２５】
支持板２０８０はプラスチックなどの合成樹脂材質を含んで構成され得る。これは限定されるものではなく、状況によって他の材質に変更することができる。
【０１２６】
このように、支持板２０８０は本体２０１０の前面板２１３０の前面の両側にそれぞれ垂直形成されて使用者の鼻溝と接するので、レーザーダイオード部２０５０が内部に収容されたヘッド部２０７０の後述する鼻挿入部２７３０が下部から上部方向に行くほど上向き傾斜した状態で使用者の鼻の内部により容易に挿入固定できることはもちろん、これによってレーザーダイオード部２０５０が使用者の鼻の内部の鼻炎などの疾患部位により容易にレーザーを照射することができる。
【０１２７】
ヘッド部２０７０は固定板２７１０と鼻挿入部２７３０を含む。固定板２７１０は放熱部２０３０の放熱板部材２３１０を内部に収容した状態で本体２０１０の前面板２１３０と後面板２１５０の上部に水平方向に固定される（図２１および図２２参照）。
【０１２８】
固定板２７１０の底面縁には下部方向に一定の長さ延長される収容壁２７１１が形成される（図２１参照）。収容壁２７１１は収容壁２７１１の内側に放熱板部材２３１０が収容されるように放熱板部材２３１０を囲む。
【０１２９】
固定板２７１０の底面中心部には放熱部２０３０の放熱板部材２３１０の中心部に形成された貫通孔２３１１を通過して貫通孔２３１１と連通するように放熱板部材２３１０の底面中心部に垂直形成された垂直軸２３１２内に収容されて固定され得る。
【０１３０】
鼻挿入部２７３０は固定板２７１０の両側上部にそれぞれ垂直方向に形成されて使用者の鼻の内部に挿入される。鼻挿入部２７３０の内部にはレーザーダイオード部２０５０が収容される。鼻挿入部２７３０の上部面には透明材質のカバー２７３１が備えられ得、レーザーダイオード部２０５０が照射するレーザーはカバー２７３１を通過して使用者の鼻の内部に照射され得る。
【０１３１】
鼻挿入部２７３０の外周縁には鼻挿入部２７３０の内側に一定の深さで陥没する溝部２７３２が形成され得る。溝部２７３２は鼻挿入部２７３０の長さ方向に上下方向に延長形成され得、鼻挿入部２７３０の外周縁に等間隔で形成され得る。
【０１３２】
このように、ヘッド部２０７０の鼻挿入部２７３０の外周縁に等間隔で形成される溝部２７３２を通じて使用者が吸気と呼気を含む呼吸をより円滑に行うことができるため、使用者の着用感をさらに大きく向上することができる。
【０１３３】
また、鼻挿入部２７３０の溝部２７３２、２つ以上の一側放熱翼板２３３１の間の溝部２３３１ａおよび２つ以上の他側放熱翼板２３５１の間の溝部２３５１ａを通過する使用者の吸気と呼気を通じて放熱部２０３０とレーザーダイオード部２０５０の温度をさらに容易に下げることができる。
【０１３４】
ヘッド部２０７０の固定板２７１０の上部面中心部には使用者の鼻の下部中心部を収容する収容溝部２７１３が下部方向に一定深さで陥没形成され得る（図１９参照）。これによって、ヘッド部２０７０の固定板２７１０の上部面中心部に形成される収容溝部２７１３に使用者の鼻の下部中心部が収容され得、固定板２７１０の上部面中心部が使用者の鼻の下部中心部に加える圧迫感を最小化できるだけでなく、使用者の着用感を向上することができる。
【０１３５】
図２３に図示されたように、本体２０１０の内部の両側上部には上部方向に突出する弧の形状の上部係止突起２１１２、２１１４が形成される。上部係止突起２１１２、２１１４は本体２０１０の一側垂直軸２１１１の一側外周縁に一体で垂直方向に形成される一側垂直柱２１１１ａの上部面中心部と本体２０１０の他側垂直軸２１１３の他側外周縁に一体で垂直方向に形成される他側垂直柱２１１３ａの上部面中心部にそれぞれ上部方向に突出形成される。
【０１３６】
放熱部２０３０の放熱板部材２３１０の底面の両側には下部方向に突出する弧の形状の下部係止突起２３１４、２３１６が形成される。下部係止突起２３１４、２３１６は一側収容壁２３０１と一側放熱翼板２３３１の間および他側収容壁２３０２と他側放熱翼板２３５１の底面の両側にそれぞれ下部方向に突出形成される。
【０１３７】
固定部２０９０は軟性材質のケーブル２９１０と、一側および他側固定部材２９３０、２９５０を含む。ケーブル２９１０は使用者の後頭を囲んで使用者の両側の耳上部の部位および使用者の顔の両側面と接した状態で位置固定される。このとき、一側および他側固定部材２９３０、２９５０はケーブル２９１０の両端部にそれぞれ一体型で備えられ得る。一側および他側固定部材２９３０、２９５０の外周縁には上部係止突起２１１２、２１１４と下部係止突起２３１４、２３１６が係合される環状の係止溝２９３１、２９５１が一定深さでそれぞれ下部方向に陥没形成され得る。
【０１３８】
このように、軟性材質のケーブル２９１０と、一側および他側固定部材２９３０、２９５０で構成され、使用者の後頭を囲んだ状態で位置固定される固定部２０９０を通じてヘッド部２０７０の鼻挿入部２７３０が使用者の鼻の内部に挿入された状態でより容易に位置固定され得る。
【０１３９】
固定部２０９０は軟性材質の一側および他側ケーブル２９２０、２９４０と一側および他側固定部材２９６０、２９８０を含んで構成されてもよい。
【０１４０】
図２５および図２６に図示されたように、一側および他側ケーブル２９２０、２９４０の他端部は使用者の両側の耳上部の部位と接した状態で係合されるように下向き傾斜され得る。これに伴い、一側および他側ケーブル２９２０、２９４０は使用者の顔の両側面と接した状態で位置固定され得る。
【０１４１】
一側および他側固定部材２９６０、２９８０は一側および他側ケーブル２９２０、２９４０の一端部にそれぞれ一体型で備えられ得る。一側および他側固定部材２９６０、２９８０の外周縁には上部係止突起２１１２、２１１４と下部係止突起２３１４、２３１６が係合される環状の係止溝２９６２、２９８２が一定深さでそれぞれ下部方向に陥没形成され得る。
【０１４２】
このように、軟性材質の一側および他側ケーブル２９２０、２９４０と、一側および他側固定部材２９６０、２９８０で構成され、使用者の耳上部の部位に係合される固定部２０９０を通じてもヘッド部２０７０の鼻挿入部２７３０が使用者の鼻の内部に挿入された状態でより容易に位置固定され得る。
【０１４３】
レーザーダイオード部２０５０は波長帯域が異なる複数のレーザーダイオード２５１１、２５１３、２５１５で構成され得る（図２７参照）。波長帯域が異なる複数のレーザーダイオード２５１１、２５１３、２５１５は一つのＴＯ−ＣＡＮ方式のパッケージ２０１４内部に設置され得る。
【０１４４】
複数のレーザーダイオード２５１１、２５１３、２５１５が内部に設置されたパッケージ２０１４は放熱部２０３０の放熱板部材２３１０の上部両側にそれぞれ備えられ得る。
【０１４５】
複数のレーザーダイオード２５１１、２５１３、２５１５は相互間の離隔距離が５０μｍ〜１００００μｍとなるようにパッケージ２０１４内部に設置される。したがって、使用者の鼻の内部の鼻炎などを含む疾患部位に単一波長ではない複数個の波長を有するレーザー円形ビームを照射することができる。これに伴い、治療効率を大きく向上することができる。
【０１４６】
このように複数のレーザーダイオード２５１１、２５１３、２５１５が使用者の鼻の内部の鼻炎などを含む疾患部位に照射するレーザーの形状が円形ビームの場合、円形ビームが到達する部分の大きさを減らすことができるためビームの集積度を大きく向上することができる。
【０１４７】
複数のレーザーダイオード２５１１、２５１３、２５１５の間の離隔距離は、５０μｍ未満であるか１００００μｍ超過である場合、複数のレーザーダイオード２５１１、２５１３、２５１５が使用者の鼻の内部の鼻炎などを含む疾患部位に照射される複数個の波長を有するレーザーが円形ビームを形成することができないため、治療効率が大きく低下され得る。
【０１４８】
複数のレーザーダイオード２５１１、２５１３、２５１５は低出力レーザーダイオードであり得、その中でも特に出力が１ｍＷ〜１００ｍＷの間である垂直共振表面発光レーザーダイオードであり得る。このとき、垂直共振表面発光レーザーダイオードが照射するレーザーは２０Ｈｚ〜２０ｋＨｚの周波数特性を有しており、パルス幅は５０μｓ〜５００μｓであり得る。
【０１４９】
仮に、複数のレーザーダイオード２５１１、２５１３、２５１５が垂直共振表面発光レーザーダイオードの場合、しきい電流が側面発光レーザーに比べて最大１０％水準に過ぎないレーザー照射装置を具現することができるだけでなく、低い電流においても駆動することができる。また、レーザーを照射する際にあまり高熱が発生しないため別途の冷却ジグを必要とせず、少ない容量の後述するバッテリー２１０でも長時間使用することができる。
【０１５０】
使用者の鼻の内部の鼻炎などを含む疾患部位の治療効率を最大化させるために、パッケージ２０１４の内部には波長帯域が６３０ｎｍ〜７００ｎｍであるレーザーダイオード２５１１、７００ｎｍ〜８１０ｎｍであるレーザーダイオード２５１３および８１０ｎｍ〜１３００ｎｍであるレーザーダイオード２５１５からなるレーザーダイオード部２０５０のうち選択された２つ以上のレーザーダイオード２５１１、２５１３、２５１５が設置され得る。
【０１５１】
内部に波長帯域が６３０ｎｍ〜７００ｎｍであるレーザーダイオード２５１１、７００ｎｍ〜８１０ｎｍであるレーザーダイオード２５１３および８１０ｎｍ〜１３００ｎｍであるレーザーダイオード２５１５からなるレーザーダイオード部２０５０のうち選択された２つ以上のレーザーダイオード２５１１、２５１３、２５１５が設置されたパッケージ２０１４はヘッド部２０７０の鼻挿入部２７３０内部に収容され得る。
【０１５２】
一方、ＴＯ−ＣＡＮ方式のパッケージ２０１４についてより詳細に説明すると、下記の通りである。図８に示されたように、パッケージ２０１４は上部面に２つ以上のレーザーダイオード２５１１、２５１３、２５１５がボンディングされたステム２１４０と、ステム２１４０の底面に一定間隔を維持した状態で下部方向に突出する複数のリード２１４１、２１４２、２１４３と、上端に透明ウインドウ２１４４ａが備えられたキャップ２１４４を含む。
【０１５３】
すなわち、６３０ｎｍ〜７００ｎｍ波長帯域の垂直共振表面発光レーザーダイオードからなるレーザーダイオード２５１１一つと、７００ｎｍ〜８１０ｎｍ波長帯域の垂直共振表面発光レーザーダイオードからなるレーザーダイオード２５１３一つおよび８１０ｎｍ〜１３００ｎｍ波長帯域の垂直共振表面発光レーザーダイオードからなるレーザーダイオード２５１５一つをＴＯ−ＣＡＮ方式のパッケージ２０１４の中に設置したものである。
【０１５４】
設置方法について詳しく説明すると、まず、６３０ｎｍ〜７００ｎｍ波長帯域のレーザーダイオード２５１１をステム２１４０の上部面に任意の三角形の一つの頂点となるようにボンディングした後、リード２１４１にワイヤーボンディングする。引き続き、７００ｎｍ〜８１０ｎｍ波長帯域のレーザーダイオード２５１３を三角形の他の頂点に位置するようにステム２１４０の上部面にボンディングした後、リード２１４２にワイヤーボンディングする。最後に、８１０ｎｍ〜１３００ｎｍ波長帯域のレーザーダイオード２５１５が三角形の残りの頂点に位置するようにボンディングした後、リード２１４３にワイヤーボンディングする。
【０１５５】
これによって、ステム２１４０の上部面に３個のレーザーダイオード２５１１、２５１３、２５１５が三角形の形状に設置され得る。このとき、互いに隣り合うレーザーダイオード２５１１、２５１３、２５１５の離隔距離は５０μｍ〜１００００μｍを維持し、キャップ２１４４をステム２１４０に乗せた後、シーリングして固定させる。
【０１５６】
このように、一つのＴＯ−ＣＡＮ方式のパッケージ２０１４内部に波長帯域が互いに異なる２つ以上のレーザーダイオード２５１１、２５１３、２５１５を設置することによって、レーザーが照射される部位に単一波長ではなく多波長を同時に照射できるだけでなく、医療機器として使う場合、浸透深さと治療効果の領域を広げて治療の効率性を増大させることができる。
【０１５７】
また、ＴＯ−ＣＡＮ方式のパッケージ２０１４内部に静電気防止のために、複数のレーザーダイオード２５１１、２５１３、２５１５の横にツェナーダイオード２５１２、２５１４、２５１６をそれぞれ設置してパッケージ２０１４内部で発生する静電気によって複数のレーザーダイオード２５１１、２５１３、２５１５に故障などの安全事故が発生する恐れを未然に防止できるようにした方がよい。
【０１５８】
ツェナーダイオード２５１２、２５１４、２５１６はそれぞれのレーザーダイオード２５１１、２５１３、２５１５に一つずつ並列で設置されるものの、ツェナーダイオード２５１２、２５１４、２５１６の陽極はステム２１４０の上部面にダイボンディングし、陰極パッドをステム２１４０の底面に一定間隔を維持した状態で下部方向に突出したリード２１４１、２１４２、２１４３にワイヤーボンディングする。
【０１５９】
すなわち、ステム２１４０の底面に一定間隔を維持した状態で下部方向に突出したリード２１４１、２１４２、２１４３のそれぞれにはレーザーダイオード２５１１、２５１３、２５１５とツェナーダイオード２５１２、２５１４、２５１６が一つずつ同時にワイヤーボンディングされるのである。
【０１６０】
これは、同じリード２１４１、２１４２、２１４３に連結されたレーザーダイオード２５１１、２５１３、２５１５だけ静電気を遮断するもので、３個のレーザーダイオード２５１１、２５１３、２５１５がボンディングされるとツェナーダイオード２５１２、２５１４、２５１６三つがダイボンディングされて静電気を遮断する役割を遂行する。
【０１６１】
波長帯域が異なる２つ以上のレーザーダイオード２５１１、２５１３、２５１５がヘッド部２０７０の鼻挿入部２７３０内部に収容されるため、使用者の鼻の内部に多波長のレーザーを同時に照射できるだけでなく、これによって鼻炎などの疾患部位組織の種類、状態および皮膚の色などの様々な変数にかかわらず使用者の鼻内部の鼻炎などの疾患部位を高い効率で治療することができる。
【０１６２】
次に、一つのＴＯ−ＣＡＮ方式のパッケージ２０１４の回路構成方式には陰極を共通極として使うカソードコモン方式と陽極を共通極で使うアノードコモン方式がある。
【０１６３】
カソードコモン方式の場合には、互いに異なる波長を有するレーザーダイオード２５１１、２５１３、２５１５の陰極をステム２１４０の上部面にダイボンディングした後、それぞれのレーザーダイオード２５１１、２５１３、２５１５の陽極パッドをステム２１４０の底面に一定間隔を維持した状態で下部方向に突出したリード２１４１、２１４２、２１４３にワイヤーボンディングすればよいのであるが、所望のレーザーダイオード２５１１、２５１３、２５１５の個数だけ施行することになる。
【０１６４】
アノードコモン方式の場合にはサブマウントを先にステム２１４０の上部面にダイボンディングした後、互いに異なる波長帯域のレーザーダイオード２５１１、２５１３、２５１５をサブマウントの上にダイボンディングする。
【０１６５】
このとき、レーザーダイオード２５１１、２５１３、２５１５の陽極パッドはそれぞれステム２１４０の上部面にワイヤーボンディングし、サブマウントの上に構成されたそれぞれの陰極パッドはステム２１４０の底面に一定間隔を維持した状態で下部方向に突出したリード２１４１、２１４２、２１４３にワイヤーボンディングしてアノードコモン構成を完了することができる。
【０１６６】
アノードコモン方式はカソードコモンよりワイヤーボンディングを二倍以上実施することになる。したがって、いかなる回路構成方式を採択してもＴＯ−ＣＡＮのリード２１４１、２１４２、２１４３数にしたがってレーザーダイオード２５１１、２５１３、２５１５の個数を調節して、複数波長帯域のレーザーが出力されるようにすることができる。ボンディングが完了すると、キャップ２１４４をステム２１４０の上に固定した後、シーリングして一つのパッケージ２０１４を完成する。
【０１６７】
このように構成されたＴＯ−ＣＡＮ方式のパッケージ２０１４はそれぞれのレーザーダイオード２５１１、２５１３、２５１５に個別に電圧が印加されるように回路を構成し、同時に所望の出力を得るためにそれぞれのレーザーダイオード２５１１、２５１３、２５１５に合う電流を印加することによって、波長帯域が互いに異なるレーザーダイオード２５１１、２５１３、２５１５が同時に出力されるようにする。本発明ではＴＯ−ＣＡＮ方式のパッケージ２０１４の回路構成方式で、カソードコモン方式を用いた。
【０１６８】
図２８〜図３１を参照すれば、医療用レーザー装置２にはレーザーダイオード部２０５０を制御する操作部２０２０が備えられる。操作部２０２０は使用者が簡便に携帯して使用できるように携帯電話などの形態で小型製作され得る。
【０１６９】
操作部２０２０の制御によって作動するレーザーダイオード部２０５０の作動に必要な電源を供給する電線などのラインが使用者の鼻の下部方向に下がって使用者の唇の前に垂れることを防止するために、本体２０１０の下部面ではない本体２０１０の一側面または他側面に連結される。
【０１７０】
操作部２０２０はバッテリー２２１０、スイッチ部２２２０、ディスプレイ部２２３０、タイマー部２２４０、Ａ／Ｄコンバータ２２５０、スピーカー部２２６０、発光部材２２７０およびマイクロプロセッサ２２８０を含む（図２８〜図３０参照）。
【０１７１】
バッテリー２２１０は操作部２０２０の内部に備えられ、レーザーダイオード部２０５０に電源を供給する。
【０１７２】
図２９のように、操作部２０２０の後面下側には操作部２０２０の内部を開閉するカバー２０２１が着脱可能に備えられる。これによって、操作部２０２０を分解せず操作部２０２０の内部に備えられたバッテリー２２１０の取替えをより簡単に行うことができる。また、操作部２０２０の下部には操作部２０２０の内部に備えられたバッテリー２２１０の充電のための２４ｐｉｎ充電端子２０２３が形成され得る。このとき、充電端子２０２３には公知の充電用アダプタが連結され得、充電用アダプタを通じて外部電源がバッテリー２２１０で充電され得る。
【０１７３】
操作部２０２０の上部にはレーザーダイオード部２０５０にバッテリー２２１０の電源を供給するための電線などのラインが連結されるコネクター２０２５が形成される。
【０１７４】
スイッチ部２２２０は操作部２０２０の一側面または他側面にスライド方式で備えられてレーザーダイオード部２０５０に電源を供給および遮断する。
【０１７５】
ディスプレイ部２２３０は操作部２０２０の前面に備えられる。ディスプレイ部２２３０はバッテリー２２１０からレーザーダイオード部２０５０への電源供給の有無およびレーザーダイオード 部 ２０５０の作動の有無に関する情報を出力する。これによって、バッテリー２２１０からレーザーダイオード部２０５０への電源供給の有無およびレーザーダイオード 部 ２０５０の作動の有無に関する情報は文字などからなる案内メッセージで構成され得る。
【０１７６】
例えば、バッテリー２２１０からレーザーダイオード部２０５０に電源が供給および遮断される場合、ディスプレイ部２２３０は「レーザーダイオード部２０５０に電源を供給中です。レーザーダイオード部２０５０に電源の供給を中止しました。」のような文字などからなる案内メッセージを出力することができる。
【０１７７】
レーザーダイオード 部 ２０５０がレーザーを照射する場合、ディスプレイ部２２３０は「レーザーを照射しています。レーザー照射を中止しました。」のような文字などからなる案内メッセージを出力することができる。
【０１７８】
本発明では図示されていないが、操作部２０２０には多様な案内メッセージがあらかじめ保存されたメモリー部がさらに備えられ得る。
【０１７９】
タイマー部２２４０はレーザーダイオード部２０５０の作動時間に関する情報を設定する。タイマー部２２４０は操作部２０２０の前面に押圧式ボタン方式またはダイヤルボタン方式などの多様な方式で備えられ得る。このとき、タイマー部２２４０を通じて設定できるレーザーダイオード部２０５０の作動時間に関する情報は作動時間または作動時間の間隔を意味する。
【０１８０】
例えば、タイマー部２２４０の作動時間に関する情報が作動時間であり、作動時間が午後１時、午後３時、午後５時、午後７時である場合、レーザーダイオード部５０は午後１時、午後３時、午後５時、午後７時に使用者の鼻の内部にレーザーを照射する。すなわち、タイマー部２２４０の作動時間に関する情報が作動時間の間隔であり、作動時間の間隔が５０分である場合、レーザーダイオード部２２５０は５０分間隔で使用者の鼻の内部にレーザーを照射する。
【０１８１】
したがって、タイマー部２２４０を通じて所望の時間または所望の時間間隔毎にレーザーダイオード部２０５０が使用者の鼻の内部に多波長のレーザーを同時に照射することができる。
【０１８２】
Ａ／Ｄコンバータ２２５０は操作部２０２０の内部に備えられた状態でバッテリー２２１０の電源量を検出してデジタル信号に変換出力する。
【０１８３】
スピーカー部２２６０は操作部２０２０の前面に備えられ得、警報音を出力する。発光部材２２７０はＬＥＤなどからなり、操作部２０２０の前面に備えられる。
【０１８４】
マイクロプロセッサ２２８０はスイッチ部２２２０とタイマー部２２４０の出力信号にレーザーダイオード部２０５０、ディスプレイ部２２３０を制御する。
【０１８５】
具体的に、使用者がスイッチ部２２２０をＯＮ状態に設定する場合、タイマー部２２４０の出力信号によるマイクロプロセッサ２２８０の制御によってバッテリー２２１０の電源がレーザーダイオード部２０５０に供給される。これによってレーザーダイオード部２０５０が使用者の鼻の内部に多波長のレーザーを照射することができるようになる。
【０１８６】
使用者がスイッチ部２２２０をＯＦＦ状態に設定する場合、マイクロプロセッサ２２８０の制御によってバッテリー２２１０の電源がレーザーダイオード部２０５０に供給できなくなる。これによってレーザーダイオード部２０５０が使用者の鼻の内部に多波長のレーザーを照射できなくなる。
【０１８７】
ディスプレイ部２２３０はマイクロプロセッサ２２８０の制御によってバッテリー２２１０からレーザーダイオード部２０５０への電源供給の有無およびレーザーダイオード部２０５０の作動の有無に関する情報すなわち、文字などからなる案内メッセージを出力する。
【０１８８】
マイクロプロセッサ２２８０はＡ／Ｄコンバータ２２５０の検出値によりスピーカー部２６０および発光部材２２７０を制御する。具体的に、Ａ／Ｄコンバータ２２５０が出力する検出値すなわち、バッテリー２２１０の残留電源量がマイクロプロセッサ２２８０にあらかじめ設定された基準値未満の場合、マイクロプロセッサ２２８０はスピーカー部２２６０が警報音を音声出力し、発光部材２２７０が光を発光することができるように制御する。
【０１８９】
具体的に、Ａ／Ｄコンバータ２２５０が出力する検出値すなわち、バッテリー２２１０の残留電源量がマイクロプロセッサ２２８０にあらかじめ設定された基準値以上の場合、マイクロプロセッサ２２８０はスピーカー部２２６０が警報音を音声出力できないようにし、発光部材２２７０が光を発光しないように制御する。
【０１９０】
このように、使用者が携帯できる小型の操作部２０２０を通じて使用者がより簡便かつ便利にレーザーダイオード部２０５０の作動を制御することができる。
【０１９１】
前述したように構成された本発明は、使用者の鼻の内部にレーザーを照射するレーザーダイオード部２０５０を通じて鼻炎などを含む鼻疾患をより容易に治療することができる。特に、レーザーダイオード部２０５０を利用して鼻炎などを含む鼻疾患を治療する過程中に使用者が円滑に呼吸できることはもちろん、着用感を大きく向上することができる。
【０１９２】
また、レーザーダイオード部２０５０で発生する高熱を外部に放出する放熱部２０３０を通じてレーザーダイオード部２０５０で発生する高熱によってレーザーダイオード部２０５０に故障などの安全事故が発生する恐れをより容易に防止することができ、レーザーダイオード部２０５０を長時間使うことができる。
【０１９３】
また、使用者の吸気、呼気によって放熱部２０３０とレーザーダイオード部２０５０の温度をより容易に下げることができる。
【０１９４】
また、使用者の後頭または耳部位に固定されてレーザーダイオード部２０５０を内部に収容した状態で使用者の鼻の内部に挿入されるヘッド部２０７０を位置固定する固定部２０９０を通じて使用者が手で本体１０を常に把持する必要がないだけでなく、使用者が他の仕事をしながら鼻炎などを含む鼻疾患を治療することができる。
【０１９５】
以下では本発明の第３実施例に係る医療用レーザー装置３について説明する。このとき、第１実施例および第２実施例の内容のうち第３実施例と同じ内容は具体的な説明を省略する。
【０１９６】
図３２と図３３は本発明の第３実施例に係る医療用レーザー装置を示した斜視図であり、図３４は本発明の第３実施例に係る医療用レーザー装置の側面図であり、図３５は本発明の第３実施例に係る医療用レーザー装置の正面図であり、図３６は本発明の第３実施例に係るレーザー照射装置のＴＯ−ＣＡＮ方式のパッケージを示した図面であり、図３７は本発明の第３実施例に係るレーザー照射装置の表面実装方式のパッケージを示した図面であり、図３８は本発明の第３実施例に係る医療用レーザー装置の制御状態を示したブロック図である。
【０１９７】
本発明の実施例に係るレーザー照射装置は、一つのパッケージの中に波長帯域が異なるレーザーダイオードが設置されるが、特にパッケージ内部に構成されたレーザーダイオードの間の離隔距離が５０μｍ〜１００００μｍである。これは各レーザーダイオード間の離隔距離が大きくなればなるほどレーザーダイオードから照射されたレーザーが一つの円形ビームを形成できないことによって、本発明に係るレーザー照射装置を医療用として使う場合、治療部位に複数の波長を同時に照射できないことによって優れた治療効果を出すことができなく、レーザーの効率側面でレーザーダイオードは最小限の離隔距離を維持しなければならないためである。そして本発明の実施例に係るレーザー照射装置のパッケージには同一波長帯域のレーザーダイオードが隣接しないようにレーザーダイオードを設置する。
【０１９８】
さらに、本発明の実施例に係るレーザー照射装置には低出力レーザーダイオードが使われるが、特に出力が１ｍＷ〜１００ｍＷの間である垂直共振表面発光レーザーダイオードを使用し、照射されるレーザーは２０Ｈｚ〜２０ｋＨｚの周波数特性を有しており、パルス幅は５０μｓ〜５００μｓである。このように、レーザーとして垂直共振表面発光レーザーダイオードを利用すると、しきい電流が側面発光レーザーに比べて最大１０％水準に過ぎないレーザー照射装置を具現することができ、低い電流においても駆動できるため熱がそれほど発生せず、冷却ジグを必要とせず、小さい容量のバッテリーでも長く使うことができるという長所があるので携帯用医療機器などの装備に適合すると言える。また、ビームの形状が円形であるため、ビームが到達する部分の大きさを減らすことができてビームの集積度がよいという長所もある。
【０１９９】
また、本発明の実施例に係るレーザー照射装置には治療用として使われる場合の治療効果を最大化させるために、一つのパッケージには波長帯域が６３０〜７００ｎｍであるレーザーダイオード、波長帯域が７００〜８１０ｎｍであるレーザーダイオードおよび波長帯域が８１０〜１３００ｎｍであるレーザーダイオードの中から選択された少なくとも二つの波長帯域のレーザーダイオードを設置した。
【０２００】
以下では、本発明に係るレーザー照射装置に使われるパッケージ構造について説明する。ただし、後述するパッケージ構造は本発明の実施を容易にするところに目的があるため、当業界の通常の知識を有した者によって多様な変形が可能であることは自明であり、本発明の権利範囲が後述する実施例にのみ限定されないことは明白である。
【０２０１】
本発明の実施例に係るレーザー照射装置に使われるパッケージはパッケージ形態と回路構成方式に大別される。パッケージ形態としては、ＴＯ−ＣＡＮ方式および表面実装（Ｓｕｒｆａｃｅ  Ｍｏｕｎｔ  Ｄｅｖｉｃｅｓ、ＳＭＤ）方式などがある。
【０２０２】
ＴＯ−ＣＡＮ方式はレーザーダイオードの一般的なパッケージ形態であって、ステムと、リードと、透明ウインドウがあるキャップを含んで構成される。レーザーダイオードはステムの上面に設置される。リードは上側がステムを貫通するように設置されて別途設けられた印刷回路基板とレーザーダイオードを連結する。透明ウインドウがあるキャップはレーザーダイオードとリードの上端を覆うようにステムの上面に設置される。したがってレーザーダイオードから照射されたレーザーは透明ウインドウを透過して物体に到達する。
【０２０３】
表面実装方式はレーザーダイオードを印刷回路基板の孔に嵌め込んで半田付けする方式ではなく、単にレーザーダイオードを印刷回路基板に載せておいた状態でソルダリングして使う形態であって、小型化が可能であり、多様な応用分野に使われている。すなわち、印刷回路基板には別途の陰極リードおよび陽極リードが形成され、陰極リード上には陰極パッドが設置され、レーザーダイオードそれぞれは陽極リードおよび陰極パッドと連結され、結果物、すなわち印刷回路基板とレーザーダイオードと陰極パッドなどの上部を覆う光透過性の透明なエポキシを含んで構成される。
【０２０４】
回路構成方式には陰極を共通極で使うカソードコモン方式と陽極を共通極で使うアノードコモン方式がある。例えばＴＯ−ＣＡＮ方式に回路構成方式を接木させると、カソードコモンの場合には互いに異なる波長を有するレーザーダイオードの陰極をＴＯ−ＣＡＮのステム底面にダイボンディングした後、それぞれのレーザーダイオードの陽極パッドとステムの上面に突出したリードにワイヤーボンディングすればよいが、所望のレーザーダイオードの個数だけ施行する。アノードコモンの場合にはサブマウントを先にステム上にダイボンディングした後、互いに異なる波長帯のレーザーダイオードをサブマウントの上にダイボンディングする。この時、レーザーダイオードの陽極パッドはそれぞれステムの底面にワイヤーボンディングし、サブマウントの上に構成されたそれぞれの陰極パッドはステムの上面に突出したリードにワイヤーボンディングしてアノードコモン構成を完了する。アノードコモン方式はカソードコモンよりワイヤーボンディングを二倍以上実施することになる。したがっていかなる回路構成方式を採択してもＴＯ−ＣＡＮのリード数によりレーザーダイオードの個数を調節して複数波長帯域のレーザーが出力されるようにすることができる。すなわち、三個の互いに異なる波長のレーザーダイオードをダイボンディングして駆動するためには四個のリードで構成されたＴＯ−ＣＡＮを使うべきであり、四個の互いに異なる波長のレーザーダイオードをダイボンディングして駆動するためには五個のリードで構成されたＴＯ−ＣＡＮを使えばよい。ボンディングが完了すると、透明ウインドウが形成されたキャップをステム上に固定した後、シーリングをすればレーザーを出力できる一つのパッケージが完成される。このように構成されたＴＯ−ＣＡＮはそれぞれのレーザーダイオードに個別に電圧が印加されるように回路を構成し、同時に所望の出力を得るためにそれぞれのレーザーダイオードに合う抵抗を連結することによって、波長帯域が異なるすべての垂直共振表面発光レーザーダイオードが同時に出力される。一方、ダイボンディングの配列の形状はいかなる形状で配列してもレーザーダイオードの離隔距離が５０μｍ〜１００００μｍとなるように互いに異なる波長帯域のレーザーダイオードをダイボンディングする。一般には応用分野によって波長帯域の個数が異なり、これによって、レーザーダイオードの個数も変わる。仮に五個の互いに異なる波長帯域を出力するためには互いに異なる波長の特性を有するレーザーダイオードが五種類必要である。このようなレーザーダイオードの配列において、一の字のように配列しようが、多角形または円形に配列しようがそれぞれのレーザーダイオードが５０μｍ〜１００００μｍ離隔するようにしたのである。したがって、ＴＯ−ＣＡＮのステム上に最初のレーザーダイオードをボンディングした後すぐに隣り合うレーザーダイオードをボンディングする際に、５０μｍ〜１００００μｍ離隔距離を維持してボンディングする方法で所望の個数だけ順次ボンディングする。本実施例ではＴＯ−ＣＡＮ形態にカソードコモンで構成した。
【０２０５】
以下、添付した図面を参照して本発明の実施例に係るレーザー照射装置３０３０に使われるパッケージについて詳細に説明する。
【０２０６】
前述した通り、一つのＴＯ−ＣＡＮ方式のパッケージ３１００はステム３１１０、リード３１２１、３１２２、３１２３、３１２４およびキャップ３１４０を含む（図３６参照）。ステム３１１０は上面に複数個のレーザーダイオード３１３１、３１３２、３１３３が設置される。すなわち、ステム３１１０の上にレーザーダイオード３１３１、３１３２、３１３３がボンディングされる。
【０２０７】
リード３１２１、３１２２、３１２３、３１２４は一側がステム３１１０を貫通するように設置されて別途設けられた印刷回路基板３２１０とレーザーダイオード３１３１、３１３２、３１３３を連結する。図３０のように、リード３１２１、３１２２、３１２３、３１２４はステム３１１０の上面に突出する。
【０２０８】
キャップ３１４０はレーザーダイオード３１３１、３１３２、３１３３を覆うようにステム３１１０の上面に設置される透明ウインドウ３１４１がある。キャップ３１４０は上端に透明ウインドウ３１４１がある。
【０２０９】
すなわち、６３０〜７００ｎｍ波長帯域の垂直共振表面発光レーザーダイオード３１３１一つと７００〜８１０ｎｍ波長帯域の垂直共振表面発光レーザーダイオード３１３２一つおよび８１０〜１３００ｎｍ波長帯域の垂直共振表面発光レーザーダイオード３１３３一つを一つのＴＯ−ＣＡＮパッケージ１００の中に装着した。装着方法について詳しく説明すると、まず６３０〜７００ｎｍ波長を有する垂直共振表面発光レーザーダイオード３１３１をステム３１１０の上に任意の三角形の一つの頂点となるようにボンディングした後ダイオードの陽極パッドとステムの上面に突出したリード３１２１にワイヤーボンディングする。引き続き、７００〜８１０ｎｍ波長帯域の垂直共振表面発光レーザーダイオード３１３２が三角形の他の頂点に位置するようにボンディングした後二番目リード３１２２にワイヤーボンディングする。最後に８１０〜１３００ｎｍ波長帯域を有する垂直共振表面発光レーザーダイオード３１３３が三角形の残りの頂点に位置するようにボンディングしてダイオードの陽極パッドとステム上面に突出した最後のリード３１２３にワイヤーボンディングすることによって、互いに異なる波長を有する垂直共振表面発光レーザーダイオード三個３１３１、３１３２、３１３３が三角形の形状でステム３１１０の上に位置するようにする。このとき、互いに隣り合う垂直共振表面発光レーザーダイイドの離隔距離は５０μｍ〜１００００μｍを維持し、キャップ３１４０をステム３１１０に乗せた後シーリングして固定させる。このように一つのＴＯ−ＣＡＮパッケージの中に互いに波長が異なる垂直共振表面発光レーザーダイオードを複数個で構成配置することによって、レーザーが照射される部位に単一波長ではなく多波長が同時に照射されるようにして医療機器に使う場合、浸透深さと治療効果の領域を広げて治療の効率性を増大させることができる。また、ＴＯ−ＣＡＮパッケージの中に静電気防止のために、それぞれ垂直共振表面放出レーザーダイオード３１３１、３１３２、３１３３の横にツェナーダイオード３１５１、３１５２、３１５３をそれぞれ設置することによって、本発明の実施例に係るレーザー照射装置３０３０を使う過程で発生する静電気によってレーザーダイオードが動作しなくなる現象がないようにＴＯ−ＣＡＮを構成した。ツェナーダイオード３１５１、３１５２、３１５３はそれぞれの垂直共振表面発光レーザーダイオード３１３１、３１３２、３１３３に一つずつを並列で設置するものの、ツェナーダイオード３１５１、３１５２、３１５３の陽極はステム３１１０の上にダイボンディングし、陰極パッドをステムの上面に突出したリード３１２１、３１２２、３１２３にワイヤーボンディングする。すなわち、ステム３１１０の上面に突出したリード３１２１、３１２２、３１２３のそれぞれには垂直共振表面発光レーザーダイオード３１３１、３１３２、３１３３とツェナーダイオード３１５１、３１５２、３１５３が一つずつ同時にワイヤーボンディングされる。これは同じリードに連結された垂直共振表面発光レーザーダイオードだけ静電気を遮断するもので、三個のレーザーダイオードがボンディングされるとツェナーダイオードも三個がダイボンディングされ��静電気を遮断する役割を遂行する。
【０２１０】
図３７を参照すれば、一つの表面実装方式のパッケージ３２００には前述した通り、陰極リード３２１１および陽極リード３２１２が形成された印刷回路基板３２１０と、陰極パッド３２２０と、レーザーダイオード３２３１、３２３２、３２３３と、透明な光透過性のエポキシ３２４０を含んで構成される。すなわち、６３０〜７００ｎｍ波長帯域の垂直共振表面発光レーザーダイオード３２３１一つと、７００〜８１０ｎｍ波長帯域の垂直共振表面発光レーザーダイオード３２３２一つおよび８１０〜１３００ｎｍ波長帯域の垂直共振表面発光レーザーダイオード３２３３一つを一つの表面実装型パッケージ３２００の中に装着した。装着方法を詳述すると、まず６３０〜７００ｎｍ波長を有する垂直共振表面発光レーザーダイオード３２３１が陰極リード３２１１の終端に形成された陰極パッド３２２０に任意の三角形の一つの頂点となるようにボンディングした後、ダイオード３２３１の陽極パッドと印刷回路基板の上面に形成された陽極リード３２１２にワイヤーボンディングする。そして７００〜８１０ｎｍ波長帯域の垂直共振表面発光レーザーダイオード３２３２が三角形の他の頂点に位置するようにボンディングした後二番目の陽極リードにワイヤーボンディングする。最後に８１０〜１３００ｎｍ波長帯域を有する垂直共振表面発光レーザーダイオード３２３３を三角形の残りの頂点に位置するようにボンディングしてダイオードの陽極パッドと印刷回路基板の上面に形成された最後の陽極リードにワイヤーボンディングすることによって、互いに異なる波長を有する垂直共振表面発光レーザーダイオード三個が三角形の形状で一つの表面実装型パッケージ内に位置するようにした。このとき、互いに隣り合う垂直共振表面発光レーザーダイオードの離隔距離は５０〜１００００μｍを維持した。そして静電気を防止するためにレーザーダイオード３２３１、３２３２、３２３３と並列でツェナーダイオード３２５１、３２５２、３２５３を設置したが、その方法は前述したＴＯ−ＣＡＮ方式での設置方法と同一である。最後に光透過性エポキシをモールディングしてパッケージの上端と下端部を固定してパッケージ製作を完了する。
【０２１１】
前述した通り、本発明の実施例に係るレーザー照射装置３０３０によれば、一つのパッケージの中に複数個波長帯域のレーザーダイオードが設置されることによって、同時に多波長のレーザーが照射される。したがって、多波長のレーザーが必要な産業の各分野に容易に適用することができ、特に医療用機器に使われる場合には組織の種類、組織の状態、病気の状態および皮膚の色などの様々な変数があっても効果的な治療が可能である。
【０２１２】
以下、前述した本発明の実施例に係るレーザー照射装置３０３０を応用した一例として医療用レーザー装置３について詳述する。
【０２１３】
図３２〜図３８を参照すれば、本発明の実施例に係る医療用レーザー装置３は取っ手３３１１と、ブラシ３３１２が植えられたヘッド部３３１３からなる櫛形態の本体３３１０と、作動スイッチ３１６０が備えられた図３６によるＴＯ−ＣＡＮパッケージからなるレーザー照射装置３０３０と、電源供給装置３３２０が含まれる。
【０２１４】
ヘッド部３３１３の中央にはレーザー照射装置３０３０が設置され、ブラシ３３１２はレーザー照射装置３０３０の両側に配置されてレーザー照射時に髪の毛が妨げとならないように髪の毛を広げる役割をする。ブラシ３３１２と頭の接触面積を最大化するためにレーザー照射装置３０３０が設置された中央から端の方に行くほどブラシ３３１２の長さを長く形成する。また、ヘッド部３３１３からブラシ３３１２を着脱できるようにブラシ着脱ボタン３３１４を設けて使用者の便宜性を提供する。また、取っ手３３１１の両側にはウレタンのようなゴムからなる突起３３１５が形成される。
【０２１５】
電源供給装置３３２０としては充電池３３２１が使われ、本体３３１０終わりの部分に充電端子３３２２が形成され、電源に連結させて充電できるように別途の充電用アダプタが備えられる。そして本体には充電表示灯３３２３が設置される。
【０２１６】
そして一定時間ごとに警報音を鳴してレーザーが照射された時間を通報する音響発生装置と、音響出力部としてのスピーカー３３３０と、音響発生装置を作動させる作動ボタンからんる音響発生部が設置される。
【０２１７】
また、電源供給装置３３２０、レーザー照射装置３０３０および音響発生部を制御できるマイクロプロセッサ（ＰＩＣ、３３４０）が設置されて電源が供給された後、一定時間が経過すると電源の供給を遮断し、レーザーおよび音響の周波数を調節する。
【０２１８】
レーザー照射装置３０３０は、印刷回路基板と電源が供給されると印刷回路基板によって駆動されてブラシ３３１２の端部方向にレーザーが照射されるように、レーザーダイオードが複数個配列されて構成されたＴＯ−ＣＡＮで構成される。
【０２１９】
レーザー照射装置３０３０は電源スイッチ３３２４を利用して電源供給装置３３２０を作動させた後、作動スイッチ３１６０を操作することによって駆動される。これは最大限の安全性を確保するためにスイッチを二つ設置したのである。また、レーザー照射装置３０３０の駆動中に電源スイッチ３３２４や作動スイッチ３１６０の両方中のいずれか一つだけを押してもレーザーは点滅するように設計した。一方、本実施例ではＴＯ−ＣＡＮパッケージ３１００を一列に七個を配列したのであるが、必要に応じてＴＯ−ＣＡＮの個数および配列方法、そしてＴＯ−ＣＡＮパッケージ３１００内部のレーザーダイオードの個数を変更してもよい。
【０２２０】
本発明は図面に図示された実施例を参照して説明されたが、これは例示的なものに過ぎず、当該技術が属する分野で通常の知識を有した者であればこれから多様な変形および均等な他の実施例が可能であることが理解できるであろう。
【０２２１】
したがって、本発明の真の技術的保護範囲は下記の特許請求の範囲によって定められるべきである。
【符号の説明】
【０２２２】
１：医療用レーザー装置
１０１０：本体
１０２０：レーザー照射部
１１００：上部本体
１１００ａ：上部板
１１００ｂ：測板
１１０１：下部本体
１０２０：レーザー照射部
１０３０：挿入部
１１１０：係止部
１１１１：前側係止部
１１１２：後側係止部
１１２０：突出段
１１３０：係止部
１３１０：挿入管
１３１１：一側挿入管
１３１２：他側挿入管
１３２０：下部板
１３３０：測板
１３３１：案内孔
１３３２：案内溝部
１３４０：係合部
１３４１：前側係合部
１３４１ａ：前側係合板
１３４１ｂ：前側係止突起
１３４２：後側係合部
１３４２ａ：後側係合板
１３４２ｂ：後側係止突起
１３５０：突起
１３５１：前側突起
１３５２：後側突起
１０４０：固定部
１４１０：連結棒
１４１１：一側連結棒
１４１１ａ：第１一側連結棒
１４１１ｂ：第２一側連結棒
１４１１ｃ：一側ガイド板
１４１１ｄ：一側ガイド突起
１４１２：他側連結棒
１４１２ａ：第１他側連結棒
１４１２ｂ：第２他側連結棒
１４１２ｃ：他側ガイド板
１４１２ｄ：他側ガイド突起
１４２０：係合棒
１４２１：一側係合棒
１４２２：他側係合棒
１４３０：ケーブル
１４４０：電源ケーブル
１４４１：一側電源ケーブル
１４４２：他側電源ケーブル
１４４３：第１電源ケーブル
１４４４：第２電源ケーブル
１０５０：軸部材
１５１０：固定ボルト
１５１１：一側固定ボルト
１５１２：他側固定ボルト
１５２０：ナット
１５２１：一側ナット
１５２２：他側ナット
１０６０：連結管
１６１０：一側連結管
１０６１：ガイドスリット
１６１１：一側ガイドスリット
１６１２：他側ガイドスリット
１６２０：他側連結管
１７００：固定部材
１７１０：一側上下移動部材
１７２０：他側上下移動部材
２：医療用レーザー装置
２０１０：本体
２１１０：底板
２１１１：一側垂直軸
２１１１ａ：一側垂直柱、
２１１２、２１１４：上部係止突起
２１１３：他側垂直軸、
２１１３ａ：他側垂直柱
２０１４：パッケージ
２１４０：ステム
２１４１、２１４２、２１４３：リード
２１４４：キャップ
２１４４ａ：透明ウインドウ
２１３０：前面板
２１５０：後面板
２０２０：操作部
２２１０：バッテリー
２２２０：スイッチ部
２２３０：ディスプレイ部
２２４０：タイマー部
２２５０：Ａ／Ｄコンバータ
２２６０：スピーカー部
２２７０：発光部材
２２８０：マイクロプロセッサ
２０２１：カバー
２０２３：充電端子
２０２５：コネクター
２０３０：放熱部
２３０１：一側収容壁
２３０３：他側収容壁
２３１０：放熱板部材
２３１１：貫通孔
２３１２：垂直軸
２３１４、２３１６：下部係止突起
２３３０：一側放熱翼部
２３３１：一側放熱翼板
２３３１ａ、２３５１ａ、２７３２：溝部
２３５０：他側放熱翼部
２３５１：他側放熱翼板
２０５０：レーザーダイオード部
２５１１、２５１３、２５１５：レーザーダイオード
２５１２、２５１４、２５１６：ツェナーダイオード
２０７０：ヘッド部
２７１０：固定板
２７１１：収容壁
２７１３：収容溝部
２７３０：鼻挿入部
２０８０：支持板
２０９０：固定部
２９１０：ケーブル
２９２０：一側ケーブル
２９３０、２９６０：一側固定部材
２９３１、２９５１、２９６２、２９８２：係止溝
２９４０：他側ケーブル
２９５０、２９８０：他側固定部材
３：医療用レーザー装置
３０３０：レーザー照射装置
３１００：パッケージ
３１１０：ステム
３１２１、３１２２、３１２３、３１２４：リード
３１３１、３１３２、３１３３：レーザーダイオード
３１４０：キャップ
３１４１：透明ウインドウ
３１５１、３１５２、３１５３：ツェナーダイオード
３１６０：作動スイッチ
３２００：パッケージ
３２１０：印刷回路基板
３２１１：陰極リード
３２１２：陽極リード
３２２０：陰極パッド
３２３１、３２３２、３２３３：レーザーダイオード
３２４０：エポキシ
３３１０：本体
３３１１：取っ手
３３１２：ブラシ
３３１３：ヘッド部
３３１４：ブラシ着脱ボタン
３３１５：突起
３３２０：電源供給装置
３３２１：充電池
３３２２：充電端子
３３２３：充電表示灯
３３２４：電源スイッチ
３３３０：スピーカー
３３４０：マイクロプロセッサ
【図１】
2018183432.tif 000003
【図２】
2018183432.tif 000004
【図３】
2018183432.tif 000005
【図４】
2018183432.tif 000006
【図５】
2018183432.tif 000007
【図６】
2018183432.tif 000008
【図７】
2018183432.tif 000009
【図８】
2018183432.tif 000010
【図９】
2018183432.tif 000011
【図１０】
2018183432.tif 000012
【図１１】
2018183432.tif 000013
【図１２】
2018183432.tif 000014
【図１３】
2018183432.tif 000015
【図１４】
2018183432.tif 000016
【図１５】
2018183432.tif 000017
【図１６】
2018183432.tif 000018
【図１７】
2018183432.tif 000019
【図１８】
2018183432.tif 000020
【図１９】
2018183432.tif 000021
【図２０】
2018183432.tif 000022
【図２１】
2018183432.tif 000023
【図２２】
2018183432.tif 000024
【図２３】
2018183432.tif 000025
【図２４】
2018183432.tif 000026
【図２５】
2018183432.tif 000027
【図２６】
2018183432.tif 000028
【図２７】
2018183432.tif 000029
【図２８】
2018183432.tif 000030
【図２９】
2018183432.tif 000031
【図３０】
2018183432.tif 000032
【図３１】
2018183432.tif 000033
【図３２】
2018183432.tif 000034
【図３３】
2018183432.tif 000035
【図３４】
2018183432.tif 000036
【図３５】
2018183432.tif 000037
【図３６】
2018183432.tif 000038
【図３７】
2018183432.tif 000039
【図３８】
2018183432.tif 000040